(57)【要約】【課題】穀粒排出装置の構成の簡素化などを図りながら、穀粒タンクに貯留した穀粒の穀粒排出装置による機外への排出を良好に行えるようにする。【解決手段】穀粒タンク１１に貯留した穀粒を穀粒タンク１１の後部から機外に排出する穀粒排出装置１２を備え、穀粒排出装置１２に、穀粒タンク１１の後方において穀粒タンク内の穀粒を揚送して上部の排出口から排出する揚送コンベヤ１６と、排出口から排出された穀粒を機体外方に流下案内する排出シュート１７とを備え、排出シュート１７を、揚送コンベヤ１６の排出口側において、その上部側を支点にした上下揺動による傾斜角度の変更が可能となるように構成し、穀粒タンク１１の前方からの排出シュート１７の上下揺動操作を可能にする機械連係式の操作機構９５を備えた。【選択図】図７
2014079222.tif 000002
【特許請求の範囲】
【請求項１】
穀粒タンクに貯留した穀粒を前記穀粒タンクの後部から機外に排出する穀粒排出装置を備えたコンバインの穀粒排出構造において、
前記穀粒排出装置に、前記穀粒タンクの後方において前記穀粒タンク内の穀粒を揚送して上部の排出口から排出する揚送コンベヤと、前記排出口から排出された穀粒を機体外方に流下案内する排出シュートとを備え、
前記排出シュートを、前記揚送コンベヤの排出口側において、その上部側を支点にした上下揺動による傾斜角度の変更が可能となるように構成し、
前記穀粒タンクの前方からの前記排出シュートの上下揺動操作を可能にする機械連係式の操作機構を備えたコンバインの穀粒排出構造。
【請求項２】
前記穀粒タンクの後方に備えた縦向きの軸心を支点にして、前記穀粒タンクが脱穀装置に隣接する作業位置と前記脱穀装置から機体横外方に離れるメンテナンス位置とにわたって揺動し、かつ、前記揚送コンベヤ及び前記排出シュートが前記穀粒タンクと一体で動くように構成した請求項１に記載のコンバインの穀粒排出構造。
【請求項３】
前記揚送コンベヤの排出口側を機体の横側に設定するとともに、前記排出シュートが横向きの支軸を支点にして上下揺動するように構成し、
前記操作機構に、前記穀粒タンクの前後両端部にわたる前後向きの回動軸と、前記回動軸の前端部に備えた操作レバーと、前記回動軸の後端部に備えた排出シュート用の操作アームとを備え、前記操作機構を、前記回動軸を介して前記操作レバーと前記操作アームとが一体揺動するように構成した請求項１又は２に記載のコンバインの穀粒排出構造。
【請求項４】
前記支軸と前記回動軸とを同一軸心上に配備した請求項３に記載のコンバインの穀粒排出構造。
【請求項５】
前記回動軸に前記支軸を一体形成した請求項４に記載のコンバインの穀粒排出構造。
【請求項６】
前記操作機構を、単一部材の屈曲形成によって前記操作レバーと前記操作アームと前記回動軸とを備えるように構成した請求項３〜５のいずれか一つに記載のコンバインの穀粒排出構造。
【請求項７】
前記回動軸が前記穀粒タンクを前後方向に貫通するように構成した請求項３〜６のいずれか一つに記載のコンバインの穀粒排出構造。
【請求項８】
前記操作機構を、前記穀粒タンクの前方に位置する搭乗運転部に備えた操作レバーと、前記操作レバーを前記排出シュートに連係する連係ワイヤとから構成した請求項１又は２に記載のコンバインの穀粒排出構造。
【請求項９】
前記操作レバーが機体の外方に食み出さないように構成した請求項３〜８のいずれか一つに記載のコンバインの穀粒排出構造。
【請求項１０】
前記排出シュートを上方に揺動付勢する付勢手段を備えた請求項１〜９のいずれか一つに記載のコンバインの穀粒排出構造。
【請求項１１】
前記排出シュートの任意の傾斜角度での固定保持を可能にするロック機構を備えた請求項１〜１０のいずれか一つに記載のコンバインの穀粒排出構造。
【請求項１２】
前記ロック機構を、前記揚送コンベヤと前記排出シュートとのいずれか一方に、前記揚送コンベヤの穀粒搬送方向又は前記排出シュートの穀粒案内方向に所定間隔をあけた状態で配備した傾斜角度設定用の複数の被係合部と、前記揚送コンベヤと前記排出シュートとのいずれか他方に、前記複数の被係合部との択一的な係合が可能となるように前記排出シュートと同方向に揺動可能に配備した突っ張り部材とから構成し、
前記穀粒タンクの前方からの前記ロック機構の操作を可能にする機械連係式のロック用操作機構を備えた請求項１１に記載のコンバインの穀粒排出構造。
【請求項１３】
前記揚送コンベヤの排出口側を機体の横側に設定するとともに、前記排出シュートが横向きの支軸を支点にして上下揺動するように構成し、
前記突っ張り部材を前記揚送コンベヤに備え、
前記ロック用操作機構に、前記穀粒タンクの前端部から前記突っ張り部材にわたる前後向きのロック用回動軸と、前記回動軸の前端部に備えたロック用操作レバーとを備え、前記ロック用操作機構を、前記ロック用回動軸を介して前記ロック用操作レバーと前記突っ張り部材とが一体揺動するように構成した請求項１２に記載のコンバインの穀粒排出構造。
【請求項１４】
前記突っ張り部材と前記ロック用回動軸と前記ロック用操作レバーとを単一部材の屈曲形成によって一体形成した請求項１３に記載のコンバインの穀粒排出構造。
【請求項１５】
前記ロック用操作機構を、前記穀粒タンクの前方に位置する搭乗運転部に備えたロック用操作レバーと、前記ロック用操作レバーを前記突っ張り部材に連係するロック用連係ワイヤとから構成した請求項１２に記載のコンバインの穀粒排出構造。
【請求項１６】
前記ロック用操作レバーが機体の外方に食み出さないように構成した請求項１３〜１５のいずれか一つに記載のコンバインの穀粒排出構造。
【請求項１７】
前記ロック機構に、前記突っ張り部材を上方に揺動付勢する付勢手段を備えた請求項１２〜１６のいずれか一つに記載のコンバインの穀粒排出構造。
【請求項１８】
前記排出シュートを、前記揚送コンベヤの前記排出口の下方に配備し、
前記揚送コンベヤに、前記排出口からの穀粒を前記排出シュートに案内する排出ガイドを備え、
前記排出ガイドを、その前記排出シュートに対する開口部の開口面積を変更可能に構成した請求項１〜１７のいずれか一つに記載のコンバインの穀粒排出構造。
【請求項１９】
穀粒タンクに貯留した穀粒を前記穀粒タンクの後部から機外に排出する穀粒排出装置を備えたコンバインの穀粒排出構造において、
前記穀粒排出装置に、前記穀粒タンクの後方において前記穀粒タンク内の穀粒を揚送して上部の排出口から排出する揚送コンベヤと、前記排出口から排出された穀粒を機体外方に流下案内する排出シュートとを備え、
前記排出シュートを、前記揚送コンベヤの前記排出口の下方に配備し、
前記揚送コンベヤに、前記排出口からの穀粒を前記排出シュートに案内する排出ガイドを備え、
前記排出ガイドを、その前記排出シュートに対する開口部の開口面積を変更可能に構成したコンバインの穀粒排出構造。
【請求項２０】
前記排出ガイドに、前記揚送コンベヤに固定した固定部と、前記固定部に前記揚送コンベヤの穀粒排出方向に位置変更可能に外嵌連結した可動部とを備え、前記排出ガイドを、前記固定部に対する前記可動部の連結位置の変更により前記開口部の開口面積を変更するように構成した請求項１８又は１９に記載のコンバインの穀粒排出構造。
【請求項２１】
前記排出ガイドに、前記揚送コンベヤに固定した固定部と、前記固定部に前記揚送コンベヤの穀粒排出方向に揺動可能に外嵌連結した可動部とを備え、前記排出ガイドを、前記排出口から穀粒を排出する排出状態においては、前記可動部が前記排出口からの穀粒の押圧を受けて揺動することにより前記開口部の開口面積が前記排出口からの穀粒排出量に応じて変化し、前記排出口から穀粒を排出しない排出停止状態においては、前記可動部が前記排出口からの穀粒の押圧を受けないことにより前記開口部の開口面積が最小になるように構成した請求項１８又は１９に記載のコンバインの穀粒排出構造。
【請求項２２】
前記排出ガイドに、前記開口部の開口面積を狭める方向に前記可動部を揺動付勢する付勢手段を備えた請求項２１に記載のコンバインの穀粒排出構造。
【請求項２３】
前記開口部の開口面積を最小にした状態においては前記可動部が機体の外方に食み出さないように構成した請求項２０〜２２のいずれか一つに記載のコンバインの穀粒排出構造。
【請求項２４】
少なくとも前記排出シュートの上部側を、底板と前記底板から立ち上がる一対の側板とからなる溝型に形成し、
前記穀粒排出装置に、前記揚送コンベヤの上部から前記排出シュートにわたって前記排出シュートの上部側を上方から覆うカバー体を備えた請求項１〜２３のいずれか一つに記載のコンバインの穀粒排出構造。
【請求項２５】
前記カバー体を前記揚送コンベヤの上部に上下揺動可能に取り付けた請求項２４に記載のコンバインの穀粒排出構造。
【請求項２６】
前記排出シュートに、前記排出シュートの穀粒案内方向上手側を構成する上手側シュート部と、前記排出シュートの穀粒案内方向下手側を構成する下手側シュート部とを備え、
前記下手側シュート部を、前記上手側シュート部に対して穀粒案内方向に摺動可能に嵌合し、
前記下手側シュート部の前記上手側シュート部に対する任意の摺動位置での固定保持を可能にするシュート長さ調節用のロック機構を備えた請求項１〜２５のいずれか一つに記載のコンバインの穀粒排出構造。
【請求項２７】
前記シュート長さ調節用のロック機構を、前記上手側シュート部と前記下手側シュート部とのいずれか一方に、所定間隔をあけて形成した複数の凹部が前記排出シュートの穀粒案内方向に並ぶように配備した鋸刃状の揺動アームと、前記上手側シュート部と前記下手側シュート部とのいずれか他方に、前記複数の凹部と択一的に係合するように配備した係合部とから構成した請求項２６に記載のコンバインの穀粒排出構造。
【請求項２８】
前記シュート長さ調節用のロック機構に、前記揺動アームを係合付勢する付勢手段を備えた請求項２７に記載のコンバインの穀粒排出構造。
【請求項２９】
前記下手側シュート部を、底板と前記底板から立ち上がる一対の側板とからなる溝型に形成し、
前記下手側シュート部の穀粒案内方向上手側端部に、前記一対の側板にわたってそれらの上部側を連結する上手側連結杆を備え、
前記上手側連結杆が前記係合部を兼ねるように構成した請求項２７又は２８に記載のコンバインの穀粒排出構造。
【請求項３０】
前記下手側シュート部を、底板と前記底板から立ち上がる一対の側板とからなる溝型に形成し、
前記下手側シュート部の穀粒案内方向下手側端部に、前記一対の側板にわたってそれらの上部側を連結する下手側連結杆を備えた請求項２６〜２９のいずれか一つに記載のコンバインの穀粒排出構造。
【発明の詳細な説明】
【技術分野】
【０００１】
本発明は、穀粒タンクに貯留した穀粒を穀粒タンクの後部から機外に排出する穀粒排出装置を備えたコンバインの穀粒排出構造に関する。
【背景技術】
【０００２】
コンバインの穀粒排出構造としては、例えば、穀粒排出装置に、グレンタンク（穀粒タンク）の底部に前後向きに配備した排出スクリュと、グレンタンクから後方に突出した排出スクリュの後端部に下端部を連接したスクリュ搬送式の縦オーガと、縦オーガの上端部に一端部を連接したスクリュ搬送式の横オーガとを、それらの連動駆動が可能な状態で、かつ、横オーガの縦オーガとの連結部を基点にした旋回操作と起伏揺動操作とが可能な状態に装備し、又、横オーガを旋回駆動する旋回モータと横オーガを揺動駆動する油圧シリンダとを備えて、グレンタンクに貯留した穀粒を、横オーガの他端部（延出端部）に形成した排出口から機外の任意の排出箇所に排出するように構成したものがある（例えば特許文献１参照）。
【先行技術文献】
【特許文献】
【０００３】
【特許文献１】特開２０１１−６７１１０号公報（段落番号００１８、００１９〜００２２、図１、２）
【発明の概要】
【発明が解決しようとする課題】
【０００４】
上記の構成では、穀粒排出箇所の選択の自由度を高めるために、穀粒排出装置に、縦オーガで揚送した穀粒を横方向に搬送する横オーガ、横オーガによる穀粒の搬送方向の変更を可能にする旋回モータ、及び、横オーガの排出口から排出する穀粒の排出高さの変更を可能にする油圧シリンダ、などを備えることから、穀粒排出装置が部品点数の多い構造が複雑で大掛かりなものとなっている。そのため、穀粒排出装置を装備する上において手間やコストがかかる上に穀粒排出装置の重量が嵩むようになっていた。
【０００５】
更に、穀粒の排出を行わない作業走行時や移動走行時などにおいては、縦オーガの上端部から水平方向に延出する横オーガを予め設定した格納位置にて固定保持する必要があり、そのためには、横オーガの延出端側を格納位置にて支持する支持部材を機体に立設装備する必要があることから、穀粒排出装置を装備する上において更に手間やコストがかかるようになっていた。
【０００６】
本発明の目的は、穀粒排出装置の構成の簡素化などを図りながら、穀粒タンクに貯留した穀粒の穀粒排出装置による機外への排出を良好に行えるようにすることにある。
【課題を解決するための手段】
【０００７】
本発明の課題解決手段は、穀粒タンクに貯留した穀粒を前記穀粒タンクの後部から機外に排出する穀粒排出装置を備えたコンバインの穀粒排出構造において、
前記穀粒排出装置に、前記穀粒タンクの後方において前記穀粒タンク内の穀粒を揚送して上部の排出口から排出する揚送コンベヤと、前記排出口から排出された穀粒を機体外方に流下案内する排出シュートとを備え、
前記排出シュートを、前記揚送コンベヤの排出口側において、その上部側を支点にした上下揺動による傾斜角度の変更が可能となるように構成し、
前記穀粒タンクの前方からの前記排出シュートの上下揺動操作を可能にする機械連係式の操作機構を備えた。
【０００８】
この手段によると、穀粒タンク内の穀粒を機外の所定位置に排出する場合には、その所定位置に排出シュートが向かうように排出シュートの傾斜角度を変更した後、穀粒タンク内の穀粒を揚送コンベヤによって揚送することにより、その揚送した穀粒を上部の排出口から排出することができ、排出した穀粒を排出シュートによって機体外方の所定位置に流下案内することができる。つまり、揚送コンベヤからの穀粒を横方向に搬送する横オーガ、横オーガを旋回駆動する旋回モータ、及び、横オーガを起伏方向に揺動駆動する油圧シリンダ、などを備えることなく、穀粒タンク内の穀粒を機外の所定位置に排出することができる。
【０００９】
又、穀粒の排出を行わずに作業走行や移動走行などを行う場合には、例えば、排出シュートが揚送コンベヤに沿うように排出シュートの傾斜角度を変更することにより、排出シュートの揚送コンベヤから外方への張り出しを抑制することができる。これにより、横オーガを採用した場合に装備する必要があった横オーガを格納位置にて支持するための支持構造を不要にすることができる。
【００１０】
その上、排出シュートの傾斜角度を変更するための排出シュートの上下揺動操作は、操作機構によって、穀粒タンクの前方から行なうことができる。そして、コンバインにおいては、穀粒タンクの前方位置に搭乗運転部を配備することが一般的であることから、排出シュートの上下揺動操作を搭乗運転部から行うことができる。
【００１１】
従って、穀粒排出装置の構成の簡素化、軽量化、及びコストの削減などを図りながら、穀粒タンクに貯留した穀粒の穀粒排出装置による機外の所定位置への排出を、搭乗運転部からの操作によって良好に行うことができる。
【００１２】
本発明をより好適なものにするための手段の一つとして、
前記穀粒タンクの後方に備えた縦向きの軸心を支点にして、前記穀粒タンクが脱穀装置に隣接する作業位置と前記脱穀装置から機体横外方に離れるメンテナンス位置とにわたって揺動し、かつ、前記揚送コンベヤ及び前記排出シュートが前記穀粒タンクと一体で動くように構成した。
【００１３】
この手段によると、穀粒タンクをメンテナンス位置に揺動させることにより、作業位置では隣接していた脱穀装置と穀粒タンクとの間に広い空間を確保することができる。これにより、脱穀装置及び穀粒タンクなどに対するメンテナンスが行い易くなる。
【００１４】
又、穀粒タンクを揺動させる際には揚送コンベヤ及び排出シュートが穀粒タンクと一体で動くことから、穀粒タンクを揺動させる際に、穀粒タンクに対して揚送コンベヤ又は排出シュートを分離させる必要がなく、又、穀粒タンクの揺動で穀粒タンクが揚送コンベヤ又は排出シュートに接触する虞を未然に回避することができる。
【００１５】
従って、穀粒タンクが揚送コンベヤ又は排出シュートに接触して損傷する不都合の発生を防止しながら、穀粒タンクを作業位置とメンテナンス位置とにわたって揺動させる際の操作性の向上を図ることができ、脱穀装置及び穀粒タンクなどに対するメンテナンス性を向上させることができる。
【００１６】
本発明をより好適なものにするための手段の一つとして、
前記揚送コンベヤの排出口側を機体の横側に設定するとともに、前記排出シュートが横向きの支軸を支点にして上下揺動するように構成し、
前記操作機構に、前記穀粒タンクの前後両端部にわたる前後向きの回動軸と、前記回動軸の前端部に備えた操作レバーと、前記回動軸の後端部に備えた排出シュート用の操作アームとを備え、前記操作機構を、前記回動軸を介して前記操作レバーと前記操作アームとが一体揺動するように構成した。
【００１７】
この手段によると、操作レバーを揺動操作すると、回動軸を介して排出シュート用の操作アームが操作レバーと一体揺動して、排出シュートを上下揺動させるようになる。
【００１８】
従って、前後向きの回動軸と操作レバーと排出シュート用の操作アームとからなる簡単で安価な構成によって、排出シュートの上下揺動操作を搭乗運転部から良好に行うことができる。
【００１９】
本発明をより好適なものにするための手段の一つとして、
前記支軸と前記回動軸とを同一軸心上に配備した。
【００２０】
この手段によると、操作レバーを揺動操作して排出シュートを上下揺動させる際には、操作レバーと操作アームと排出シュートとが同一軸心を支点にして拗れのない状態で円滑に揺動する。
【００２１】
従って、操作レバーの揺動操作によって排出シュートを上下揺動させる際の操作性を向上させることができる。
【００２２】
本発明をより好適なものにするための手段の一つとして、
前記回動軸に前記支軸を一体形成した。
【００２３】
この手段によると、部品点数の削減による構成の簡素化及びコストの削減を図ることができる。その上、操作レバー及び操作アームの揺動支点となる回動軸と、排出シュートの支軸とを、簡単かつ確実に同一軸心上に位置させることができ、操作レバーによる排出シュートの上下揺動操作を、拗れのない状態で円滑に行うことができる。
【００２４】
従って、構成の簡素化及びコストの削減を図りながら、操作レバーによる排出シュートの上下揺動操作を円滑に行うことができる。
【００２５】
本発明をより好適なものにするための手段の一つとして、
前記操作機構を、単一部材の屈曲形成によって前記操作レバーと前記操作アームと前記回動軸とを備えるように構成した。
【００２６】
この手段によると、部品点数の削減による構成の簡素化及びコストの削減を図ることができる。
【００２７】
本発明をより好適なものにするための手段の一つとして、
前記回動軸が前記穀粒タンクを前後方向に貫通するように構成した。
【００２８】
この手段によると、操作レバーと操作アームとにわたる回動軸の長さを最短にすることができる。
【００２９】
従って、操作機構の構成の簡素化を図ることができる。
【００３０】
本発明をより好適なものにするための手段の一つとして、
前記操作機構を、前記穀粒タンクの前方に位置する搭乗運転部に備えた操作レバーと、前記操作レバーを前記排出シュートに連係する連係ワイヤとから構成した。
【００３１】
この手段によると、操作レバーを揺動操作すると、連係ワイヤを介して排出シュートを上下揺動させることができる。又、連係ワイヤを採用することにより、操作機構の配索の自由度が高くなり、これにより、穀粒タンクを作業位置とメンテナンス位置とにわたって揺動可能に構成した場合においても、操作レバーを搭乗運転部に配備することができる。
【００３２】
従って、操作機構を操作レバーと連係ワイヤとから簡単で安価に構成しながら、排出シュートの上下揺動操作を搭乗運転部から良好に行うことができる上に、脱穀装置及び穀粒タンクなどに対するメンテナンス性を向上させることができる。
【００３３】
本発明をより好適なものにするための手段の一つとして、
前記操作レバーが機体の外方に食み出さないように構成した。
【００３４】
この手段によると、走行時などにおいて操作レバーが他物に接触して損傷する不都合の発生を効果的に防止することができる。
【００３５】
本発明をより好適なものにするための手段の一つとして、
前記排出シュートを上方に揺動付勢する付勢手段を備えた。
【００３６】
この手段によると、排出シュートを上方に揺動操作する際の操作力を軽減することができる。又、排出シュートを下方に揺動操作する際に排出シュートが急激に下降揺動する不都合の発生を防止することができる。
【００３７】
従って、操作レバーの揺動操作によって排出シュートを上下揺動させる際の操作性を向上させることができる。
【００３８】
本発明をより好適なものにするための手段の一つとして、
前記排出シュートの任意の傾斜角度での固定保持を可能にするロック機構を備えた。
【００３９】
この手段によると、穀粒タンク内の穀粒を機外の所定位置に排出する場合には、その所定位置に排出シュートが向かうように排出シュートの傾斜角度を変更した後、ロック機構により、そのときの傾斜角度で排出シュートを固定保持することができる。
【００４０】
従って、穀粒タンクに貯留した穀粒の穀粒排出装置による機外の所定位置への排出を更に簡単かつ良好に行うことができる。
【００４１】
本発明をより好適なものにするための手段の一つとして、
前記ロック機構を、前記揚送コンベヤと前記排出シュートとのいずれか一方に、前記揚送コンベヤの穀粒搬送方向又は前記排出シュートの穀粒案内方向に所定間隔をあけた状態で配備した傾斜角度設定用の複数の被係合部と、前記揚送コンベヤと前記排出シュートとのいずれか他方に、前記複数の被係合部との択一的な係合が可能となるように前記排出シュートと同方向に揺動可能に配備した突っ張り部材とから構成し、
前記穀粒タンクの前方からの前記ロック機構の操作を可能にする機械連係式のロック用操作機構を備えた。
【００４２】
この手段によると、ロック機構を、傾斜角度設定用の複数の被係合部と突っ張り部材とから簡単で安価に構成することができる。
【００４３】
その上、ロック機構の操作は、ロック用操作機構によって穀粒タンクの前方から行なうことができる。そして、コンバインにおいては、穀粒タンクの前方位置に搭乗運転部を配備することが一般的であることから、ロック機構の操作を搭乗運転部から行うことができる。
【００４４】
従って、ロック機構の構成の簡素化及びコストの削減などを図りながら、ロック機構による任意の傾斜角度での排出シュートの固定操作及び固定解除操作を、搭乗運転部からの操作によって良好に行うことができる。
【００４５】
本発明をより好適なものにするための手段の一つとして、
前記揚送コンベヤの排出口側を機体の横側に設定するとともに、前記排出シュートが横向きの支軸を支点にして上下揺動するように構成し、
前記突っ張り部材を前記揚送コンベヤに備え、
前記ロック用操作機構に、前記穀粒タンクの前端部から前記突っ張り部材にわたる前後向きのロック用回動軸と、前記回動軸の前端部に備えたロック用操作レバーとを備え、前記ロック用操作機構を、前記ロック用回動軸を介して前記ロック用操作レバーと前記突っ張り部材とが一体揺動するように構成した。
【００４６】
この手段によると、ロック用操作レバーを揺動操作すると、ロック用回動軸を介して突っ張り部材がロック用操作レバーと一体揺動して、いずれかの被係合部に係合する状態と係合を解除する状態とに切り換わるようになる。
【００４７】
従って、前後向きのロック用回動軸とロック用操作レバーとからなる簡単で安価な構成によって、ロック機構による任意の傾斜角度での排出シュートの固定操作及び固定解除操作を、搭乗運転部からの操作によって良好に行うことができる。
【００４８】
本発明をより好適なものにするための手段の一つとして、
前記突っ張り部材と前記ロック用回動軸と前記ロック用操作レバーとを単一部材の屈曲形成によって一体形成した。
【００４９】
この手段によると、部品点数の削減による構成の簡素化及びコストの削減を図ることができる。
【００５０】
本発明をより好適なものにするための手段の一つとして、
前記ロック用操作機構を、前記穀粒タンクの前方に位置する搭乗運転部に備えたロック用操作レバーと、前記ロック用操作レバーを前記突っ張り部材に連係するロック用連係ワイヤとから構成した。
【００５１】
この手段によると、ロック用操作レバーを揺動操作すると、ロック用連係ワイヤを介して突っ張り部材が揺動し、これにより、突っ張り部材を、いずれかの被係合部に対して係合する状態と係合を解除する状態とに切り換えることができる。又、ロック用連係ワイヤを採用することにより、ロック用操作機構の配索の自由度が高くなり、これにより、穀粒タンクを作業位置とメンテナンス位置とにわたって揺動可能に構成した場合においても、ロック用操作レバーを搭乗運転部に配備することができる。
【００５２】
従って、ロック用操作機構をロック用操作レバーとロック用連係ワイヤとから簡単で安価に構成しながら、ロック機構による任意の傾斜角度での排出シュートの固定操作及び固定解除操作を、搭乗運転部から良好に行うことができる上に、脱穀装置及び穀粒タンクなどに対するメンテナンス性を向上させることができる。
【００５３】
本発明をより好適なものにするための手段の一つとして、
前記ロック用操作レバーが機体の外方に食み出さないように構成した。
【００５４】
この手段によると、走行時などにおいてロック用操作レバーが他物に接触して損傷する不都合の発生を効果的に防止することができる。
【００５５】
本発明をより好適なものにするための手段の一つとして、
前記ロック機構に、前記突っ張り部材を上方に揺動付勢する付勢手段を備えた。
【００５６】
この手段によると、ロック用操作レバーの揺動操作により、突っ張り部材を上下揺動させて、いずれかの被係合部に対して係合する状態と係合を解除する状態とに切り換える際の操作力を軽減することができる。
【００５７】
従って、ロック用操作レバーの揺動操作により、排出シュートを任意の傾斜角度において固定及び固定解除する際の操作性を向上させることができる。
【００５８】
本発明をより好適なものにするための手段の一つとして、
前記排出シュートを、前記揚送コンベヤの前記排出口の下方に配備し、
前記揚送コンベヤに、前記排出口からの穀粒を前記排出シュートに案内する排出ガイドを備え、
前記排出ガイドを、その前記排出シュートに対する開口部の開口面積を変更可能に構成した。
【００５９】
この手段によると、揚送コンベヤの排出口から排出される穀粒を、排出ガイドによって、排出口の下方に配備した排出シュートに確実に案内することができる。
【００６０】
又、穀粒タンクから搬出される穀粒の濡れ具合などに応じて排出ガイドにおける開口部の開口面積を変更することができる。これにより、例えば、穀粒タンクの穀粒が濡れ気味であるほど、開口部の開口面積を大きくすることにより、穀粒の濡れに起因して、排出ガイドの開口部において穀粒がブリッジ状に堆積して穀粒の排出を阻害する不都合の発生を防止することができる。
【００６１】
従って、穀粒タンクの穀粒を排出する際の作業効率の向上を図ることができる。
【００６２】
本発明の課題解決手段の一つとして、
穀粒タンクに貯留した穀粒を前記穀粒タンクの後部から機外に排出する穀粒排出装置を備えたコンバインの穀粒排出構造において、
前記穀粒排出装置に、前記穀粒タンクの後方において前記穀粒タンク内の穀粒を揚送して上部の排出口から排出する揚送コンベヤと、前記排出口から排出された穀粒を機体外方に流下案内する排出シュートとを備え、
前記排出シュートを、前記揚送コンベヤの前記排出口の下方に配備し、
前記揚送コンベヤに、前記排出口からの穀粒を前記排出シュートに案内する排出ガイドを備え、
前記排出ガイドを、その前記排出シュートに対する開口部の開口面積を変更可能に構成した。
【００６３】
この手段によると、揚送コンベヤの排出口から排出される穀粒を、排出ガイドによって排出口の下方に配備した排出シュートに確実に案内することができ、排出シュートによって機体外方の所定位置に流下案内することができる。つまり、揚送コンベヤからの穀粒を横方向に搬送する横オーガ、横オーガを旋回駆動する旋回モータ、及び、横オーガを起伏方向に揺動駆動する油圧シリンダ、などを備えることなく、穀粒タンク内の穀粒を機外の所定位置に排出することができる。
【００６４】
又、穀粒タンクから搬出される穀粒の濡れ具合などに応じて排出ガイドにおける開口部の開口面積を変更することができる。これにより、例えば、穀粒タンクの穀粒が濡れ気味であるほど、開口部の開口面積を大きくすることにより、穀粒の濡れに起因して、排出ガイドの開口部において穀粒がブリッジ状に堆積して穀粒の排出を阻害する不都合の発生を防止することができる。
【００６５】
従って、穀粒排出装置の構成の簡素化、軽量化、及びコストの削減などを図りながら、穀粒タンクに貯留した穀粒の穀粒排出装置による機外の所定位置への排出を良好に行うことができる。又、穀粒の濡れ具合などにかかわらず、穀粒タンクの穀粒を排出する際の作業効率を向上させることができる。
【００６６】
本発明をより好適なものにするための手段の一つとして、
前記排出ガイドに、前記揚送コンベヤに固定した固定部と、前記固定部に前記揚送コンベヤの穀粒排出方向に位置変更可能に外嵌連結した可動部とを備え、前記排出ガイドを、前記固定部に対する前記可動部の連結位置の変更により前記開口部の開口面積を変更するように構成した。
【００６７】
この手段によると、固定部に対する可動部の連結位置を穀粒排出方向に変更するだけの簡単な操作によって、穀粒の濡れ具合などに応じて開口部の開口面積を変更することができる。
【００６８】
従って、開口部の開口面積を変更する際に要する手間の軽減を図りながら、穀粒の濡れに起因して、排出ガイドの開口部において穀粒がブリッジ状に堆積して穀粒の排出を阻害する不都合の発生を防止することができる。
【００６９】
本発明をより好適なものにするための手段の一つとして、
前記排出ガイドに、前記揚送コンベヤに固定した固定部と、前記固定部に前記揚送コンベヤの穀粒排出方向に揺動可能に外嵌連結した可動部とを備え、前記排出ガイドを、前記排出口から穀粒を排出する排出状態においては、前記可動部が前記排出口からの穀粒の押圧を受けて揺動することにより前記開口部の開口面積が前記排出口からの穀粒排出量に応じて変化し、前記排出口から穀粒を排出しない排出停止状態においては、前記可動部が前記排出口からの穀粒の押圧を受けないことにより前記開口部の開口面積が最小になるように構成した。
【００７０】
この手段によると、可動部が排出口からの穀粒の押圧を受けて揺動することにより、開口部の開口面積を自動的に変更することができる。
【００７１】
従って、開口部の開口面積を変更する手間を要することなく、穀粒の濡れに起因して、排出ガイドの開口部において穀粒がブリッジ状に堆積して穀粒の排出を阻害する不都合の発生を防止することができる。
【００７２】
本発明をより好適なものにするための手段の一つとして、
前記排出ガイドに、前記開口部の開口面積を狭める方向に前記可動部を揺動付勢する付勢手段を備えた。
【００７３】
この手段によると、可動部が排出口からの穀粒の押圧を受けて、開口部の開口面積が不必要に大きくなることを防止することができる。
【００７４】
従って、開口部の開口面積が不必要に大きくなることに起因した開口部からの穀粒の漏れ出しを阻止することができる。
【００７５】
本発明をより好適なものにするための手段の一つとして、
前記開口部の開口面積を最小にした状態においては前記可動部が機体の外方に食み出さないように構成した。
【００７６】
この手段によると、穀粒タンクからの穀粒の排出を行わない場合には、開口部の開口面積を最小にすることにより、作業走行や移動走行などにおいて、排出ガイドが他物に接触して損傷する不都合の発生を防止することができる。
【００７７】
本発明をより好適なものにするための手段の一つとして、
少なくとも前記排出シュートの上部側を、底板と前記底板から立ち上がる一対の側板とからなる溝型に形成し、
前記穀粒排出装置に、前記揚送コンベヤの上部から前記排出シュートにわたって前記排出シュートの上部側を上方から覆うカバー体を備えた。
【００７８】
この手段によると、排出シュートの上部側などにおいて穀粒の詰まりが生じた場合には、カバー体を外すことにより、詰まった穀粒を排出シュートの開放部分から差し入れた手で排出シュートの下方に向けて容易に掻き流すことができる。
【００７９】
又、排出シュートの上部側などを溝型に形成したことによって生じ易くなる、穀粒が排出口から排出シュートに向けて流動する際に排出シュートの上部から穀粒が飛び出す不都合を、カバー体によって防止することができる。
【００８０】
従って、排出シュートでの穀粒の詰まりに対する対処を簡単かつ迅速に行える上に、排出シュートの上部から穀粒が飛び出すことによる穀粒回収率の低下を防止することができる。
【００８１】
本発明をより好適なものにするための手段の一つとして、
前記カバー体を前記揚送コンベヤの上部に上下揺動可能に取り付けた。
【００８２】
この手段によると、排出シュートの上下揺動操作に伴ってカバー体を排出シュートと同方向に揺動させることができる。これにより、排出シュートの上下揺動操作によって排出シュートとカバー体との間に隙間が形成され、この隙間から穀粒が漏れ出す虞を未然に回避することができる。
【００８３】
従って、排出シュートとカバー体との隙間から穀粒が漏れ出すことによる穀粒回収率の低下を防止することができる。
【００８４】
本発明をより好適なものにするための手段の一つとして、
前記排出シュートに、前記排出シュートの穀粒案内方向上手側を構成する上手側シュート部と、前記排出シュートの穀粒案内方向下手側を構成する下手側シュート部とを備え、
前記下手側シュート部を、前記上手側シュート部に対して穀粒案内方向に摺動可能に嵌合し、
前記下手側シュート部の前記上手側シュート部に対する任意の摺動位置での固定保持を可能にするシュート長さ調節用のロック機構を備えた。
【００８５】
この手段によると、排出シュートの傾斜角度の変更に加えて排出シュートの穀粒排出方向での長さを変更することができる。これにより、穀粒排出位置の調整をより細かく行えるようになり、排出シュートによる穀粒の排出位置を、穀粒排出箇所に対するより適切な位置に容易に設定変更することができる。
【００８６】
従って、排出シュートによる穀粒の排出を穀粒の排出箇所に適した良好な状態で行うことができる。
【００８７】
本発明をより好適なものにするための手段の一つとして、
前記シュート長さ調節用のロック機構を、前記上手側シュート部と前記下手側シュート部とのいずれか一方に、所定間隔をあけて形成した複数の凹部が前記排出シュートの穀粒案内方向に並ぶように配備した鋸刃状の揺動アームと、前記上手側シュート部と前記下手側シュート部とのいずれか他方に、前記複数の凹部と択一的に係合するように配備した係合部とから構成した。
【００８８】
この手段によると、シュート長さ調節用のロック機構を、鋸刃状の揺動アームと係合部とから簡単かつ安価に構成することができる。
【００８９】
従って、シュート長さ調節用のロック機構の構成の簡素化及びコストの削減などを図ることができる。
【００９０】
本発明をより好適なものにするための手段の一つとして、
前記シュート長さ調節用のロック機構に、前記揺動アームを係合付勢する付勢手段を備えた。
【００９１】
この手段によると、付勢手段により、鋸刃状の揺動アームを係合部に対する係合状態に簡単かつ確実に維持することができる。
【００９２】
従って、排出シュートの長さ調節を簡単かつ確実に行うことができる。
【００９３】
本発明をより好適なものにするための手段の一つとして、
前記下手側シュート部を、底板と前記底板から立ち上がる一対の側板とからなる溝型に形成し、
前記下手側シュート部の穀粒案内方向上手側端部に、前記一対の側板にわたってそれらの上部側を連結する上手側連結杆を備え、
前記上手側連結杆が前記係合部を兼ねるように構成した。
【００９４】
この手段によると、排出シュートを溝型に形成することにより、排出シュートにおいて穀粒の詰まりが生じた場合には、その詰まりを目視で早期に発見することが可能になる。又、詰まった穀粒を排出シュートの開放部分から差し入れた手で排出シュートの下方に向けて容易に掻き流すことができる。
【００９５】
そして、排出シュートを溝型に形成したことによって生じ易くなる排出シュートの変形を、上手側連結杆によって抑制することができる。又、この上手側連結杆がシュート長さ調節用のロック機構の係合部を兼ねることにより、シュート長さ調節用のロック機構における部品点数の削減を図ることができる。
【００９６】
従って、排出シュートでの穀粒の詰まりに対する対処を簡単かつ迅速に行える上に、排出シュートの変形を抑制しながら、部品点数の削減による構成の簡素化及びコストの削減などを図ることができる。
【００９７】
本発明をより好適なものにするための手段の一つとして、
前記下手側シュート部を、底板と前記底板から立ち上がる一対の側板とからなる溝型に形成し、
前記下手側シュート部の穀粒案内方向下手側端部に、前記一対の側板にわたってそれらの上部側を連結する下手側連結杆を備えた。
【００９８】
この手段によると、排出シュートを溝型に形成することにより、排出シュートにおいて穀粒の詰まりが生じた場合には、その詰まりを目視で早期に発見することが可能になる。又、詰まった穀粒を排出シュートの開放部分から差し入れた手で排出シュートの下方に向けて容易に掻き流すことができる。
【００９９】
そして、排出シュートを溝型に形成したことによって生じ易くなる排出シュートの変形を、下手側連結杆によって抑制することができる。又、上手側シュート部に対して下手側シュート部を摺動させる際には、その下手側連結杆を把持部として利用することができ、これにより、下手側シュート部の摺動操作が行い易くなる。
【０１００】
従って、排出シュートでの穀粒の詰まりに対する対処を簡単かつ迅速に行える上に、排出シュートの変形を抑制しながら、排出シュートの長さを調節する際の操作性を向上させることができる。
【図面の簡単な説明】
【０１０１】
【図１】自脱型コンバインの右側面図である。
【図２】自脱型コンバインの平面図である。
【図３】自脱型コンバインの背面図である。
【図４】穀粒排出装置の構成と穀粒タンクのメンテナンス位置での保持構造とを示す要部の横断平面である。
【図５】穀粒タンクのメンテナンス位置での保持構造を示す要部の横断平面図（ａ）と要部の右側面図（ｂ）である。
【図６】穀粒排出装置の構成と排出シュートの操作構造とを示す要部の一部切り欠き右側面図である。
【図７】穀粒排出装置の構成と排出シュートの操作構造とを示す要部の背面図である。
【図８】排出シュートの操作構造を示す要部の拡大背面図である。
【図９】穀粒排出装置の構成と排出シュートの操作構造とを示す要部の縦断側面図（ａ）と要部の横断平面図（ｂ）と要部の拡大横断平面図（ｃ）である。
【図１０】穀粒排出装置の構成と排出シュートの操作構造とを示す要部の分解斜視図である。
【図１１】排出ガイドの別実施形態を示す要部の正面図である。
【図１２】第１実施形態での排出シュートの構成を示す排出シュートの斜視図（ａ）と排出シュートの縦断斜視図（ｂ）である。
【図１３】流下案内板の構成を示す要部の背面図（ａ）と流下案内板の要部の斜視図（ｂ）である。
【図１４】第２実施形態での排出シュートの構成を示す要部の斜視図（ａ）と要部の右側面図（ｂ）と要部の背面図（ｃ）である。
【図１５】第２実施形態での排出シュートの構成を示す要部の斜視図である。
【図１６】別実施形態での揚送コンベヤの構成を示す要部の分解斜視図である。
【図１７】別実施形態での排出シュートの操作構造を示す要部の一部切り欠き右側面図である。
【発明を実施するための形態】
【０１０２】
〔第１実施形態〕
【０１０３】
以下、本発明を実施するための形態の一例として、本発明に係るコンバインの穀粒排出構造を、コンバインの一例である自脱型コンバインに適用した第１実施形態を図面に基づいて説明する。
【０１０４】
図１〜３に示すように、本実施形態で例示する自脱型コンバインは、角パイプ材などの複数の鋼材を連結して機体フレーム１を構成している。機体フレーム１の下部には左右一対のクローラ２を装備している。機体フレーム１における右半部の前側には、エンジン３を搭載するとともに搭乗運転部４を形成している。機体フレーム１における左側の前端部には、作業走行時に機体の前方に位置する収穫対象の作物穀稈を刈り取って後方に搬送する刈取搬送装置５を、左右向きの支軸（図示せず）を支点にした昇降揺動操作が可能となるように連結装備している。機体フレーム１の左半部には、刈取搬送装置５が搬送した刈取穀稈を受け取って後方に搬送しながら刈取穀稈の着粒部に脱穀処理を施し、この脱穀処理で得た処理物に選別処理を施す脱穀装置６を搭載している。脱穀装置６における上側の後部には、脱穀処理後の脱粒穀稈を脱穀装置６の挟持搬送機構７から受け取って脱穀装置６の上部後方に搬送する脱粒穀稈搬送装置８を配備している。脱穀装置６における下側の後端部には、脱粒穀稈搬送装置８が搬送した脱粒穀稈の細断排出を可能にする細断装置９を連結装備している。機体フレーム１における右半部の後側には、脱穀装置６からスクリュ揚送式の供給コンベヤ１０を介して揚送搬出した穀粒を貯留する板金製の穀粒タンク１１を搭載している。穀粒タンク１１には、穀粒タンク１１に貯留した穀粒の機外への排出を可能にする穀粒排出装置１２を装備している。
【０１０５】
図４に示すように、細断装置９は、機体フレーム１の右後端部に立設した第１支柱１３に、この第１支柱１３に備えた上下一対の縦向きの支軸１４を介して、それらの支軸１４を支点にした横方向への揺動操作が可能となるように連結している。これにより、脱粒穀稈搬送装置８が搬送した脱粒穀稈の細断排出が可能となるように脱粒穀稈搬送装置８の下方に位置して脱穀装置６の後端に連接する作業位置と、その遊端側ほど脱穀装置６の後端から穀粒タンク側に大きく離れて脱穀装置６の後端との間を大きく開放するメンテナンス位置とにわたる、縦軸心回りの揺動操作が可能となるように構成している。
【０１０６】
図示は省略するが、脱穀装置６の左後端部と細断装置９の遊端部には、細断装置９の作業位置での固定保持を可能にするロック機構の構成部品をそれぞれ装備している。又、第１支柱１３には、細断装置９の当接により、細断装置９の所定のメンテナンス位置から穀粒タンク側への揺動を阻止するストッパを装備している。
【０１０７】
図１〜７及び図１３に示すように、穀粒タンク１１は、その左上端部の前後中間位置に、供給コンベヤ１０の上端部に形成した穀粒排出口１０Ａに連通する穀粒受入口１１Ａを形成している。又、その左右の側板１１Ｂ，１１Ｃの下部側に、穀粒タンク１１に貯留した穀粒を左右中央側の底部に形成した穀粒搬出部１１Ｄに流下案内する傾斜部１１Ｂａ，１１Ｃａを備えている。そして、その穀粒搬出部１１Ｂの後端に、穀粒タンク１１に貯留した穀粒の穀粒タンク外への取り出しを可能にする穀粒取出口１１Ｅを形成している。
【０１０８】
図１〜１０に示すように、穀粒排出装置１２は、穀粒搬出部１１Ｂに位置して穀粒タンク内の穀粒を穀粒取出口１１Ｅからタンク外に搬出する搬出スクリュ１５、搬出スクリュ１５が搬出した穀粒を揚送して上部の排出口１６Ａから排出する揚送コンベヤ１６、及び、その排出口１６Ａから排出された穀粒を機体の右外方に流下案内する排出シュート１７、などを備えて構成している。
【０１０９】
搬出スクリュ１５は、そのスクリュ軸１５Ａの前端部が穀粒タンク１１の前端から前方に突出する状態となり、かつ、搬出スクリュ１５の後端部が、穀粒タンク１１の穀粒取出口１１Ｅを通って、穀粒タンク１１の底部後端に連接した穀粒排出ケース１８の内部に位置する状態となるように、穀粒タンク１１の穀粒搬出部１１Ｂに前後向きに配備している。そして、スクリュ軸１５Ａの前端部には、エンジン３から穀粒排出装置１２への伝動を断続するベルトテンション式の排出クラッチ１９を連結している。スクリュ軸１５Ａの後端部には、ベベルギア（図示せず）を搬出スクリュ１５と一体回転する状態で連結している。
【０１１０】
揚送コンベヤ１６は、穀粒排出ケース１８の上端部に上下向きに連通接続した円筒状のコンベヤケース２１、コンベヤケース２１の上端に形成した開口２１Ａを閉塞する蓋体２２、及び、コンベヤケース２１の内部に回転可能に備えた揚送スクリュ２３、などによってスクリュ搬送式に構成するとともに、穀粒タンク１１の後部に穀粒排出ケース１８を介して連接装備している。
【０１１１】
揚送スクリュ２３は、その下端部がコンベヤケース２１から下方に延出して穀粒排出ケース１８の内部に位置するように構成している。そして、そのスクリュ軸２３Ａの下端部には、搬出スクリュ１５のスクリュ軸１５Ａに連結したベベルギアと噛み合い連動するベベルギア（図示せず）を揚送スクリュ２３と一体回転する状態に連結している。揚送スクリュ２３の上部には、揚送スクリュ２３と一体回転することにより、揚送スクリュ２３が揚送コンベヤ１６の上部まで揚送した穀粒を排出口１６Ａから水平方向に放擲する放擲板２３Ｂを装備している。
【０１１２】
穀粒排出ケース１８は、２つのベベルギアを噛み合い連動可能に支持した状態で収納するギア収納空間と、穀粒タンク１１の内部とコンベヤケース２１の内部とを穀粒の搬出が可能な状態に連通する連通空間とを備えたＬ字型に形成している。
【０１１３】
コンベヤケース２１の上部には、その上部の右側部分に形成した排出口１６Ａから放出された穀粒を、コンベヤケース２１の右外側下方に向けて案内する排出ガイド２７を着脱可能にボルト連結している。そして、コンベヤケース２１における排出ガイド２７の真下位置に、排出ガイド２７が案内した穀粒を機体の右外方に流下案内するようで排出シュート１７を配備している。
【０１１４】
上記の構成から、穀粒排出装置１２は、排出クラッチ１９の断続操作によって作動状態と停止状態とに切り換えることができる。そして、作動状態では、排出クラッチ１９を介したエンジン３からの動力によって搬出スクリュ１５が回転し、搬出スクリュ１５と揚送スクリュ２３とがベベルギアを介して連動する。これにより、穀粒タンク１１に貯留した穀粒を搬出スクリュ１５によって穀粒取出口１１Ｅから搬出して穀粒排出ケース１８の連通空間に送り込むことができる。又、その連通空間に送り込んだ穀粒を揚送スクリュ２３によって揚送コンベヤ１６の上部に揚送することができ、その上部に揚送した穀粒を放擲板２３Ｂによって排出口１６Ａから水平方向に放擲することができる。そして、放擲した穀粒を排出ガイド２７によって下方の排出シュート１７に向けて案内することができ、その案内された穀粒を排出シュート１７によって機体の右外側下方に位置するトラックの荷台などの所定の穀粒排出箇所に流下案内することができる。
【０１１５】
つまり、穀粒タンク１１に貯留した穀粒を、排出シュート１７を備える簡単で安価な構成の穀粒排出装置１２によって機体右外側下方の穀粒排出箇所に良好に排出することができる。
【０１１６】
図９及び図１０に示すように、コンベヤケース２１は、その上部における排出口１６Ａを形成しない左側部分の内面に、その左側部分における放擲板２３Ｂの放擲作用を受けた穀粒との摺接による摩耗を抑制する補強板３８を接合装備している。補強板３８は、強度の高い高張力鋼又は超高張力鋼などを採用して、コンベヤケース２１の内面に沿った半円弧状で、排出口１６Ａに対向する上側領域と揚送スクリュ２３における上側のスクリュ羽根１ピッチ分に重合する下側領域とを備える縦長に形成している。そして、複数の皿ビス３９により着脱可能にコンベヤケース２１の内面に取り付けている。又、補強板３８の各皿ビス挿通孔３８ａには、皿ビス３９の頭部側端面が補強板３８の内面よりも揚送スクリュ２３から離れるように、皿ビス３９の頭部を補強板３８に沈み込ませる皿ザグリ３８ｂを形成している。
【０１１７】
これにより、放擲板２３Ｂの放擲作用を受けた穀粒との摺接による摩耗に対するコンベヤケース２１の耐久性を向上させることができる。又、補強板３８に摩耗が生じた場合には補強板３８を簡単に交換することができる。その上、穀粒との摺接による各皿ビス頭部の摩耗を効果的に抑制することができ、皿ビス頭部の摩耗に起因して補強板３８の交換が困難になる不都合の発生を防止することができる。
【０１１８】
ちなみに、コンベヤケース２１における上部の補強構造としては、コンベヤケース２１の上部における左側部分の内面又は外面に、補強板３８を、溶接によって接合装備するようにしてもよい。又、コンベヤケース２１の上部における左側部分の外面に、補強板３８を、着脱可能に接合装備するようにしてもよい。
【０１１９】
図１〜３、図６、図７、図９及び図１０に示すように、揚送コンベヤ１６は、その上端が穀粒タンク１１の上端よりも上方に位置するように構成している。そして、その上端に備えた蓋体２２をコンベヤケース２１の上端に着脱可能にボルト連結している。又、その蓋体２２の裏面に、揚送スクリュ２３のスクリュ軸２３Ａの上端部を抜き差し可能な状態で相対回転可能に支持する軸支部２２Ａを備えている。更に、スクリュ軸２３Ａの下端部とベベルギアとの連結を、それらの一体回転を可能にしながらベベルギアに対するスクリュ軸２３Ａの上方からの係脱を許容する嵌合（例えばスプライン嵌合）で行うように構成している。穀粒排出ケース１８の上端部には、揚送スクリュ２３の下端部を受け止め支持する支持部（図示せず）を備えている。
【０１２０】
上記の構成から、搬出スクリュ１５と揚送スクリュ２３とをベベルギアを介して連動連結する構造を採用しながらも、コンベヤケース２１の上端から蓋体２２を取り外すことにより、揚送スクリュ２３の真上に位置する開口２１Ａを開放することができる。そして、この開口２１Ａから揚送スクリュ２３を引き上げることにより、スクリュ軸２３Ａの下端部とベベルギアとの嵌合を解除することができ、コンベヤケース２１から揚送スクリュ２３を抜き出すことができる。これにより、コンベヤケース２１や揚送スクリュ２３に対する清掃、揚送スクリュ２３の交換、あるいは、前述した補強板３８の交換、などのメンテナンスを行い易くすることができる。
【０１２１】
又、メンテナンス後は、開口２１Ａから揚送スクリュ２３を挿入してスクリュ軸２３Ａの下端部をベベルギアに嵌合することにより、揚送スクリュ２３を搬出スクリュ１５に連動連結することができる。その後、スクリュ軸２３Ａの上端部に蓋体２２の軸支部２２Ａを嵌合し、蓋体２２をコンベヤケース２１の上端にボルト連結することにより、コンベヤケース２１の内部に揚送スクリュ２３を駆動可能な適正状態で配備することができる。
【０１２２】
その上、揚送コンベヤ１６の上端が穀粒タンク１１の上端よりも上方に位置することにより、コンベヤケース２１に対して揚送スクリュ２３を抜き差しする際に揚送スクリュ２３が穀粒タンク１１の上部に不測に接触して揚送スクリュ２３及び穀粒タンク１１が損傷する不都合を招き難くすることができる。
【０１２３】
図１〜１２に示すように、穀粒排出ケース１８の底部には、揚送スクリュ２３の回転中心と同心上に位置する状態で底部から下方に向けて延出する円筒状の支軸部１８Ａを一体形成している。支軸部１８Ａは、機体フレーム１の右後端部に備えた軸支部１Ａに相対回転可能に内嵌した状態で、その軸支部１Ａによって下方から受け止め支持されている。
【０１２４】
穀粒排出ケース１８及びコンベヤケース２１は、穀粒排出ケース１８の上部において左右向きに突出形成した左右の第１連結部１８Ｂと、コンベヤケース２１の下部において穀粒排出ケース１８の各第１連結部１８Ｂと対向する状態に配備した左右の第２連結部２１Ｄとをボルト連結することにより、穀粒排出ケース１８とコンベヤケース２１とを、穀粒排出ケース１８からのコンベヤケース２１の抜け出しを阻止した連通接続状態で相対回転不能に連結することができる。
【０１２５】
コンベヤケース２１の各第２連結部２１Ｄは、コンベヤケース２１の下端部において左右向きに突設した左右一対の第１板体２１Ｄａと、各第１板体２１Ｄａの延出端に垂下姿勢で溶接した第２板体２１Ｄｂとから構成している。
【０１２６】
コンベヤケース２１は、その上下中間側の所定位置を、機体フレーム１の右後端部に立設した第２支柱２４に、この第２支柱２４の上端部に備えたホルダ２５を介して、揚送スクリュ２３のスクリュ軸２３Ａを支点にした相対回転が可能な状態で連結している。コンベヤケース２１の上部は、穀粒タンク１１に固定具２６を介して相対回転不能に連結している。コンベヤケース２１の下端部は、穀粒タンク１１に連結した穀粒排出ケース１８に上下方向での抜き差しが可能となるように連結している。
【０１２７】
上記の構成から、穀粒排出装置１２の揚送コンベヤ１６を、揚送スクリュ２３の回転中心と穀粒排出ケース１８の支軸部１８Ａの中心とを通る縦向きの軸心Ｘを支点にした回動が可能な状態で機体フレーム１に立設することができ、その揚送コンベヤ１６を支点にして穀粒タンク１１と穀粒排出装置１２とを一体揺動させることができる。
【０１２８】
これにより、穀粒タンク１１を、その後方に備えた縦向きの軸心Ｘ（揚送コンベヤ１６）を支点にして、脱穀装置６の右側端に隣接して供給コンベヤ１０の穀粒排出口１０Ａと穀粒タンク１１の穀粒受入口１１Ａとが連通接合する作業位置と、供給コンベヤ１０の穀粒排出口１０Ａと穀粒タンク１１の穀粒受入口１１Ａとの連通接合を解除して脱穀装置６から機体の右外方に離れるメンテナンス位置とにわたって揺動変位させることができる（図２参照）。そして、穀粒タンク１１をメンテナンス位置に揺動変位させることにより、作業位置では隣接していた脱穀装置６と穀粒タンク１１との間に広い空間を確保しながら脱穀装置６の右側部及び穀粒タンク１１の左側部などを開放することができる。その結果、脱穀装置６及び穀粒タンク１１などに対するメンテナンスを行い易くすることができる。
【０１２９】
図示は省略するが、穀粒タンク１１は、第１ロック機構及び第２ロック機構による作業位置での固定保持が可能となるように構成している。第１ロック機構は、機体フレーム１の所定位置に穿設した係合孔、及び、この係合孔に対する係合方向にバネ付勢した状態で穀粒タンク１１の前下部に備えた下向きＬ字型の係合ピン、などによって穀粒タンク１１の下部側に対して作用するように構成している。第２ロック機構は、脱穀装置６の前上部に備えた係止ピン、及び、穀粒タンク１１の前上部に揺動可能に備えた係合フック、などによって穀粒タンク１１の上部側に対して作用するように構成している。係合フックは、穀粒タンク１１の前下部に備えたロック解除レバーに連係ロッドを介して連係している。
【０１３０】
図１、図２及び図６に示すように、排出クラッチ１９は、その伝動ベルト１９Ａをテンションアーム１９Ｂの揺動操作によって緊張状態と弛緩状態とに切り換えることにより、エンジン３からの動力を穀粒排出装置１２に伝達する伝動状態と、その伝動を遮断する遮断状態とに切り換わるように構成している。テンションアーム１９Ｂは、搭乗運転部４において運転座席３５の左後方箇所に配備した排出クラッチレバー３６に連係機構３７を介して連係している。
【０１３１】
上記の構成から、穀粒タンク１１をメンテナンス位置に揺動操作する際には、排出クラッチレバー３６を操作して排出クラッチ１９を遮断状態に切り換え、この切り換えで弛緩した伝動ベルト１６Ａを、スクリュ軸１５Ａと一体回転する排出クラッチ１９の出力プーリ１９Ｃから外した後、第１ロック機構及び第２ロック機構による穀粒タンク１１の作業位置での固定保持を解除することにより、穀粒タンク１１のメンテナンス位置への揺動操作を可能にすることができる。
【０１３２】
図４及び図５に示すように、第２支柱２４には、穀粒タンク１１の機体右外方への揺動操作時に、コンベヤケース２１の右側部（機体外側部分）に配備した第２連結部２１Ｄの第１板体２１Ｄａとの当接により、穀粒タンク１１の機体右外方への揺動範囲を制限する鋼板製のストッパ２０を上下向きに装備している。
【０１３３】
又、揚送コンベヤ１６と第２支柱２４とにわたって、穀粒タンク１１の第１メンテナンス位置及び第２メンテナンス位置での位置保持を可能にする保持機構６０を装備している。第１メンテナンス位置は、穀粒タンク１１の脱穀装置６からの離間距離が最大になる位置に設定している。つまり、揚送コンベヤ１６の右側部に備えた第２連結部２１Ｄの第２板体２１Ｄｂがストッパ２０に当接したときに得られる穀粒タンク１１の位置を第１メンテナンス位置に設定している。第２メンテナンス位置は、所定のメンテナンス位置に揺動操作した細断装置９と排出シュート１７との干渉を避けるために、穀粒タンク１１の脱穀装置６からの離間距離が第１メンテナンス位置よりも短い距離になるように設定している。
【０１３４】
保持機構６０は、上下向きの挿通孔６１ａを形成するボス６１Ａを備えた第１部材６１、揚送コンベヤ１６を支点にした穀粒タンク１１の揺動操作によって第１部材６１の挿通孔６１ａに対向する第１挿通孔６２ａと第２挿通孔６２ｂとを穿設した第２部材６２、及び、第１部材６１と第２部材６２との対向した挿通孔６２ａ〜６２ｃに挿通する挿通ピン６３、などにより構成している。
【０１３５】
第１部材６１は、穀粒排出ケース１８に対してコンベヤケース２１を抜け止めするための穀粒排出ケース側の左右の第１連結部１８Ｂとコンベヤケース側の左右の第２連結部２１Ｄとのボルト連結とともに揚送コンベヤ１６にボルト連結することにより、揚送コンベヤ１６に装備している。第２部材６２は、前述したストッパ２０の上端部から右方向に延出する状態でストッパ２０に一体形成している。そして、揚送コンベヤ１６の右側部に備えた第２連結部２１Ｄの第２板体２１Ｄｂがストッパ２０に当接した状態では、第１部材６１の挿通孔６１ａが第２部材６２の第１挿通孔６２ａに対向するように構成している。
【０１３６】
上記の構成から、例えば、脱穀装置６の穀粒タンク側や穀粒タンク１１などに対するメンテナンスを行う必要があり、かつ、脱穀装置６の細断装置側や細断装置９などに対するメンテナンスを行う必要がない場合には、保持機構６０によって穀粒タンク１１を第１メンテナンス位置に位置保持することにより、脱穀装置６と穀粒タンク１１との間を最大限に大きく開放した状態を維持することができ、脱穀装置６の穀粒タンク側や穀粒タンク１１などに対するメンテナンスを行い易くすることができる。
【０１３７】
又、脱穀装置６の穀粒タンク側や穀粒タンク１１などに対するメンテナンスとともに、脱穀装置６の細断装置側や細断装置９などに対するメンテナンスを行う必要がある場合には、穀粒タンク１１を第２メンテナンス位置に位置保持することにより、脱穀装置６の穀粒タンク側や穀粒タンク１１などに対するメンテナンスを行うことができるとともに、脱穀装置６の細断装置側や細断装置９などに対するメンテナンスを行うために、細断装置９をメンテナンス位置に揺動変位させた際に、穀粒タンク側の排出シュート１７に細断装置９が接触する虞を未然に回避することができる。
【０１３８】
図７、図９及び図１０に示すように、揚送コンベヤ１６の排出口１６Ａは、コンベヤケース２１の上部に備えた枠部材２１Ｂによって、コンベヤケース２１の直径と同幅で縦長の矩形状に形成している。又、穀粒タンク１１が作業位置に位置する状態において機体の真右方向を向くように設定している。そして、この枠部材２１Ｂに、排出口１６Ａからの穀粒を排出シュート１７に案内する排出ガイド２７を、枠部材２１Ｂに排出ガイド２７を外嵌した状態で着脱可能にボルト連結している。
【０１３９】
排出ガイド２７は、コンベヤケース２１の枠部材２１Ｂにボルト連結した固定部２８、及び、固定部２８に揚送コンベヤ１６の穀粒排出方向に位置変更可能に外嵌連結した可動部２９、などにより構成している。固定部２８は、その前後の各側板部分に上下一対の螺合部２８ａを備えている。可動部２９は、その前後の各側板部分に螺合部２８ａに対応する左右向きの長孔２９ａを形成している。そして、それらの螺合部２８ａ及び長孔２９ａを使用した蝶ボルト３０によるボルト連結により、長孔２９ａの範囲内において固定部２８に対する可動部２９の連結位置を変更することができ、排出ガイド２７における開口部２７Ａの開口面積を変更することができるように構成している。
【０１４０】
各螺合部２８ａは、固定部２８の前後の各側板部分に上下一対ずつ穿設したボルト挿通孔、及び、各ボルト挿通孔に対応させた状態で固定部２８の内面側に溶接したナットによって構成している。
【０１４１】
これにより、穀粒タンク１１から搬出される穀粒の濡れ具合などに応じて排出ガイド２７における開口部２７Ａの開口面積を変更することができる。そして、例えば、穀粒タンク１１の穀粒が濡れ気味であるほど、開口部２７Ａの開口面積が大きくなるように固定部２８に対する可動部２９の連結位置を変更することにより、穀粒の濡れに起因して、排出ガイド２７の開口部２７Ａにおいて穀粒がブリッジ状に堆積して穀粒の排出を阻害する不都合の発生を防止することができる。
【０１４２】
図１１に示すように、排出ガイド２７としては、コンベヤケース２１の枠部材２１Ｂにボルト連結した固定部３１、固定部２８に蝶番３２を介して揚送コンベヤ１６の穀粒排出方向に揺動可能に外嵌連結した可動部３３、及び、開口部２７Ａの開口面積を狭める方向に可動部３２を揺動付勢する付勢手段３４としての引っ張りバネ３４、などを備えて、揚送コンベヤ１６の排出口１６Ａから穀粒を排出する排出状態においては、可動部３３が排出口１６Ａからの穀粒の押圧を受けて揺動することにより、開口部２７Ａの開口面積が排出口１６Ａからの穀粒排出量に応じて変化し、又、排出口１６Ａから穀粒を排出しない排出停止状態においては、可動部３３が排出口１６Ａからの穀粒の押圧を受けないことにより、開口部２７Ａの開口面積が最小になるように構成したものであってもよい。
【０１４３】
図２、図３及び図７に示すように、排出ガイド２７は、前述した摺動式と揺動式とにかかわらず、その開口部２７Ａの開口面積を最小にした状態においては、可動部２９，３３が機体の右端部から右外方に食み出さないように構成している。つまり、摺動式の排出ガイド２７においては、穀粒タンク１１の穀粒を排出しない走行時には、開口部２７Ａの開口面積が最小になるように固定部２８に対する可動部２９の連結位置を変更することにより、又、揺動式の排出ガイド２７においては、穀粒タンク１１の穀粒を排出しない走行時には、引っ張りバネ３４の作用によって開口部２７Ａの開口面積が最小になることにより、走行時に排出ガイド２７が他物に接触する不都合を招き難くすることができる。
【０１４４】
図６〜１０に示すように、コンベヤケース２１は、枠部材２１Ｂの真下位置に円弧状の補強板２１Ｅを介して排出シュート用の支持部材２１Ｃを溶接装備している。そして、この支持部材２１Ｃに、排出シュート１７の基端部である穀粒案内方向上手側の端部を、穀粒タンク１１が作業位置に位置する状態において前後向きになる横向きの支軸４０を介して、この支軸４０を支点にした排出シュート１７の上下揺動が可能となるように連結している。
【０１４５】
このように、コンベヤケース２１における排出シュート１７の支持部を補強板２１Ｅによって補強したことにより、排出シュート１７を他物に接触させた場合にコンベヤケース２１が変形する不都合の発生を防止することができる。これにより、コンベヤケース２１の変形により、コンベヤケース２１や揚送コンベヤ１６の全体を交換する必要が生じる虞を効果的に抑制することができる。
【０１４６】
図１〜４及び図６〜１２に示すように、排出シュート１７は、排出シュート１７の穀粒案内方向上手側を構成する上手側シュート部１７Ａと、排出シュート１７の穀粒案内方向下手側を構成する下手側シュート部１７Ｂとを備えている。各シュート部１７Ａ，１７Ｂは、底板１７ａと底板１７ａから平行に立ち上がる一対の側板１７ｂとを備える溝型で、かつ、上手側シュート部１７Ａに対して下手側シュート部１７Ｂが穀粒案内方向に摺動可能な内接状態で嵌合するように構成している。
【０１４７】
上手側シュート部１７Ａは、揚送コンベヤ１６の排出口側である右側部に、その右側部に底板１７ａが面する右向き姿勢で、横向きの支軸４０を支点にした上下揺動が可能な状態で配備している。又、その一対の側板１７ｂの上端部を内側に屈曲させることにより、下手側シュート部１７Ｂの一対の側板１７ｂを穀粒案内方向に摺動案内する一対の案内溝１７ｃを形成している。下手側シュート部１７Ｂは、その穀粒案内方向の上手側端部と下手側端部とに、一対の側板１７ｂにわたってそれらの上部側を連結する保形用の上手側連結杆１７ｄと下手側連結杆１７ｅとを備えている。そして、下手側連結杆１７ｅは、上手側シュート部１７Ａに対して下手側シュート部１７Ｂを摺動させる際の把持部として使用することができるようになっている。
【０１４８】
排出シュート１７には、上手側シュート部１７Ａに対して下手側シュート部１７Ｂを任意の摺動位置に固定保持するシュート長さ調節用のロック機構９０を備えている。ロック機構９０は、上手側シュート部１７Ａの前側の側板１７ｂにおける穀粒案内方向上手側端部に、前後向きの支軸９１を介して揺動可能に連結した揺動アーム９２を備えている。揺動アーム９２は、排出シュート１７の底板１７ａに対向する端縁に、複数の凹部９２ａを、排出シュート１７の穀粒案内方向に所定間隔をあけて並ぶ状態で備えた鋸刃状に形成している。そして、それらの凹部９２ａが択一的に下手側シュート部１７Ｂの上手側連結杆１７ｄに係合することにより、下手側シュート部１７Ｂを上手側シュート部１７Ａに対する任意の摺動位置に固定保持するように構成している。
【０１４９】
支軸９１には、揺動アーム９２を下手側シュート部１７Ｂの上手側連結杆１７ｄに向けて係合付勢する付勢手段９３としての捻りバネ９３を外嵌装備している。揺動アーム９２の遊端には、捻りバネ９３の付勢に抗した揺動アーム９２の係合解除方向への揺動操作を行い易くするＬ字状の操作杆９２Ａを溶接している。揺動アーム９２の各凹部９２ａは、穀粒案内方向下手側の縁部により下手側シュート部１７Ｂの上手側連結杆１７ｄを受け止め、穀粒案内方向上手側の傾斜縁部により、凹部９２ａからの上手側連結杆１７ｄの上方への離脱を許容する形状に形成している。
【０１５０】
つまり、下手側シュート部１７Ｂの上手側連結杆１７ｄ、鋸刃状の揺動アーム９２、及び捻りバネ９３、などにより、シュート長さ調節用のロック機構９０を構成している。又、下手側シュート部１７Ｂの上手側連結杆１７ｄが、揺動アーム９２に形成した複数の凹部９２ａと択一的に係合する係合部を兼ねるように構成している。
【０１５１】
そして、上記の構成から、排出シュート１７の長さを長くする場合には、先ず、下手側シュート部１７Ｂの下手側連結杆１７ｅと揺動アーム９２の操作杆９２Ａとを把持し、捻りバネ９３の付勢に抗して揺動アーム９２を係合解除方向に揺動させて、下手側シュート部１７Ｂの上手側連結杆１７ｄと揺動アーム９２の凹部９２ａとの係合を解除する。次に、上手側シュート部１７Ａに対して下手側シュート部１７Ｂを任意の摺動位置まで穀粒案内方向下手側に摺動させた後、捻りバネ９３の付勢によって、そのときの摺動位置に対応する揺動アーム９２の凹部９２ａを下手側シュート部１７Ｂの上手側連結杆１７ｄに係合させる。
【０１５２】
逆に、排出シュート１７の長さを短くする場合には、下手側シュート部１７Ｂの下手側連結杆１７ｅを把持して、捻りバネ９３の付勢に抗して、上手側シュート部１７Ａに対して下手側シュート部１７Ｂを任意の摺動位置まで穀粒案内方向上手側に摺動させた後、捻りバネ９３の付勢によって、そのときの摺動位置に対応する揺動アーム９２の凹部９２ａを下手側シュート部１７Ｂの上手側連結杆１７ｄに係合させる。
【０１５３】
これにより、排出シュート１７の長さを任意の長さに簡単に調節することができる。
【０１５４】
尚、上手側シュート部１７Ａにおける揺動アーム９２の支持部には補強板１７ｆを溶接している。そして、この補強板１７ｆが、下手側シュート部１７Ｂとの当接により、上手側シュート部１７Ａに対する下手側シュート部１７Ｂの穀粒案内方向上手側への摺動を制限するストッパとして機能するように構成している。
【０１５５】
図１〜３、図６、図７、図９及び図１０に示すように、穀粒排出装置１２は、揚送コンベヤ１６の上部から排出シュート１７にわたって排出シュート１７の穀粒案内方向上手側である上部側を上方から覆うカバー体５１を開閉可能に備えている。カバー体５１は、板金製でＵ字状に屈曲形成した保形部材５１Ａに、透明で可撓性を有する樹脂シート５１Ｂの一側縁部をボルト止めして構成している。そして、排出ガイド２７に左右一対の蝶番５２を介して上下揺動可能に連結し、かつ、排出ガイド２７と保形部材５１Ａとにわたってトグルバネ５３を架設することにより、排出シュート１７の上下揺動を許容するとともに、排出シュート１７の上部側を上方から覆う閉状態と、排出シュート１７の上部側を開放する開状態とに切り換え保持可能に構成している。
【０１５６】
上記の構成から、カバー体５１を軽量で安価に構成しながらも、排出シュート１７の穀粒案内方向上手側での穀粒の漏れ出しを防止することができる。又、カバー体５１の開閉状態にかかわらず、排出シュート１７の穀粒案内方向上手側での穀粒の流動状態を容易に視認することができる。これにより、排出シュート１７の穀粒案内方向上手側において穀粒の詰まりが生じた場合には、カバー体５１を開状態に切り換え保持することにより、穀粒の詰まりに対する適切な処置を容易に行うことができる。
【０１５７】
尚、カバー体５１としては、板金材などを採用して剛性を有するように構成したものであってもよい。
【０１５８】
図３及び図６〜１０に示すように、穀粒排出装置１２には、支軸４０を支点にして上下揺動する排出シュート１７を任意の傾斜角度に固定保持するシュート角度調節用のロック機構４１を備えている。ロック機構４１は、排出シュート１７における上手側シュート部１７Ａの底板１７ａに排出シュート１７の穀粒案内方向に沿って上下向きに装備した受止部材４２、揚送コンベヤ１６のコンベヤケース２１に排出シュート１７と同方向に上下揺動可能に装備した突っ張り部材４３、及び、突っ張り部材４３を受止部材４２が位置する上方に揺動付勢する付勢手段４４としての捻りバネ４４によって構成している。
【０１５９】
受止部材４２には、排出シュート１７の穀粒案内方向に所定間隔をあけた傾斜角度設定用の３つの被係合部としての凹部４２ａ〜４２ｃを備えた案内溝４２Ａを排出シュート１７の穀粒案内方向に沿って上下向きに形成している。突っ張り部材４３は、その遊端部に受止部材４２の各凹部４２ａ〜４２ｃに択一的に係入する係合部４３ａを屈曲形成している。そして、突っ張り部材４３の操作と捩りバネ４４の作用によって、突っ張り部材４３の係合部４３ａが受止部材４２の各凹部４２ａ〜４２ｃに択一的に係入することにより、その係入状態を維持して排出シュート１７を任意の傾斜角度で受け止め支持するように構成している。
【０１６０】
穀粒排出装置１２は、排出シュート１７を揚送コンベヤ１６に沿う垂下姿勢で揚送コンベヤ１６に最接近させた格納位置に保持する保持機構４８を備えている。保持機構４８は、コンベヤケース２１の前部側に横向きに備えた筒状の係合部４９、及び、排出シュート１７における上手側シュート部１７Ａの底板１７ａに備えた弾性変形可能な挟持具５０によって、排出シュート１７の格納位置への到達に伴って係合部４９に挟持具５０が挟持嵌合することにより、ロック機構４１に備えた捩りバネ４４などの作用に抗した排出シュート１７の格納位置での固定保持が可能となるように構成している。そして、排出シュート１７は、格納位置に位置させた状態では機体の右端部から右外方に食み出さないように構成している。
【０１６１】
上記の構成から、排出シュート１７の傾斜角度を、保持機構４８により排出シュート１７を格納位置に保持した格納用の第１角度と、突っ張り部材４３の係合部４３ａを受止部材４２における最下位の凹部４２ａに係入して排出シュート１７の排出位置を機体に最も接近させた穀粒排出用の第２角度と、突っ張り部材４３の係合部４３ａを受止部材４２における上下中間位置の凹部４２ｂに係入して排出シュート１７の排出位置を第２角度よりも機体から右外方に離間させた穀粒排出用の第３角度と、突っ張り部材４３の係合部４３ａを受止部材４２における最上位の凹部４２ｃに係入して排出シュート１７の排出位置を機体から最も離間させた穀粒排出用の第４角度との４段階に変更することができる。
【０１６２】
つまり、排出シュート１７の穀粒排出方向での長さ調節に加えて排出シュート１７の傾斜角度を変更することにより、排出シュート１７の高さ方向での排出位置の変更をより細かく行える上に、排出シュート１７の機体横方向での排出位置の変更が可能になることから、排出シュート１７の排出位置を穀粒の排出箇所に対するより適切な位置に容易に設定変更することができる。その結果、穀粒の排出箇所にかかわらず排出シュート１７による穀粒の排出を良好に行うことができる。
【０１６３】
そして、排出シュート１７を格納位置に切り換えた状態では、保持機構４８によって排出シュート１７を格納位置に安定した状態で保持することができ、これにより、走行中の機体の振動などに起因して排出シュート１７が不測に格納位置から排出位置に切り換わって他物に接触する不都合の発生を確実に防止することができる。
【０１６４】
又、排出シュート１７の傾斜角度を変更することにより、排出シュート１７で流下案内される穀粒の流下速度を調節することができる。これにより、穀粒の水分量などによって変化する流動性に応じて排出シュート１７の傾斜角度を変更することにより、穀粒の流下速度を適切な速度に調節することが可能になる。その結果、流動性の低下に起因した排出シュート１７での穀粒詰まりの発生などを未然に回避し易くなり、排出シュート１７での穀粒詰まりによる作業効率の低下を防止することができる。
【０１６５】
更に、排出シュート１７の下手側シュート部１７Ａに上下の連結杆１７ｄ，１７ｅを備えたことにより、これらの連結杆１７ｄ，１７ｅを排出シュート１７の傾斜角度を変更する際の把持部に利用することができる。これにより、排出シュート１７の傾斜角度を変更する際の操作性を向上させることができる。
【０１６６】
図１〜３及び図６〜１０に示すように、穀粒タンク１１の上部には、穀粒タンク１１の前方からの排出シュート１７の上下揺動操作を可能にする機械連係式の操作機構９５を備えている。操作機構９５は、穀粒タンク１１の上部を前後方向に貫通する前後向きの回動軸９６、回動軸９６の前端部に着脱可能に連結した操作レバー９７、及び、回動軸９６の後端部に備えた排出シュート用の操作アーム９８、などにより、回動軸９５を介して操作レバー９７と操作アーム９８とが一体揺動するように構成している。
【０１６７】
穀粒タンク１１には、回動軸９６を回動可能に支持する前後一対の軸支部９９を備えている。操作機構９５の回動軸９６と操作アーム９８及び排出シュート１７の支軸４０は、単一の丸棒鋼材により、回動軸９６と支軸４０とが同一軸心上に位置し、かつ、操作アーム９８が支軸４０の後端から排出シュート１７の底板１７ａに向けて延出する状態に一体形成している。支軸４０には、操作アーム９８を介して排出シュート１７を上方に揺動付勢する付勢手段１００としての捩りバネ１００を外嵌している。操作レバー９７は、その揺動操作において機体の右端部から右外方に食み出さない姿勢で回動軸９６の前端部に着脱可能にピン連結している。
【０１６８】
穀粒タンク１１の上部における排出シュート用の操作機構９５の下方には、穀粒タンク１１の前方からのシュート角度調節用のロック機構４１の操作を可能にする機械連係式のロック用操作機構１０１を備えている。ロック用操作機構１０１は、穀粒タンク１１の上部を前後方向に貫通する前後向きのロック用回動軸１０２、及び、ロック用回動軸１０２の前端部に着脱可能に連結したロック用操作レバー１０３、などにより、ロック用回動軸１０２を介してロック用操作レバー１０３とロック機構４１の突っ張り部材４３とが一体揺動するように構成している。
【０１６９】
穀粒タンク１１には、ロック用回動軸１０２を回動可能に支持する前後一対の軸支部１０４を備えている。ロック用回動軸１０２とロック機構４１の突っ張り部材４３とは、単一の丸棒鋼材の屈曲形成によって一体形成している。ロック用操作レバー１０３は、その揺動操作において機体の右端部から右外方に食み出さない姿勢でロック用回動軸１０２の前端部に着脱可能にピン連結している。
【０１７０】
上記の構成から、穀粒タンク１１の前方に位置する搭乗運転部４に居ながらも、穀粒タンク１１の前端部に位置する操作レバー９７及びロック用操作レバー１０３を操作することにより、排出シュート１７の傾斜角度を変更して任意の傾斜角度に固定保持することができる。又、排出シュート用の捩りバネ１００及び突っ張り部材用の捩りバネ４４の作用により、排出シュート１７の傾斜角度の変更操作に要する労力を軽減することができる。更に、操作レバー９７及びロック用操作レバー１０３が機体の右端部から右外方に食み出すことに起因した他物との接触を防止することができる。
【０１７１】
図１、図３、図６、図７及び図１０に示すように、排出シュート１７の遊端部には、可撓性を有する透明の樹脂シートからなる補助シュート４６を穀粒案内方向視での形状がＵ字状になる状態でボルト連結している。そして、補助シュート４６の遊端部には、その遊端部の前後両端に形成した丸孔４６ａに挿通して遊端部の横幅を変更するバンド４７を装備してある。
【０１７２】
上記の構成から、例えば、穀粒の排出対象がトラックの荷台などである場合には、バンド４７を緩めることにより、補助シュート４６の穀粒排出端での間口を大きく広げた状態にすることができる。これにより、穀粒をトラックの荷台などの広い領域に拡散させた状態で排出することができる。
【０１７３】
又、穀粒の排出対象が籾袋などである場合には、バンド４７を締めることにより、補助シュート４６の穀粒排出端での間口を小さく窄めた円筒状にすることができる。これにより、穀粒を籾袋などの狭い領域に集中させた状態で排出することができる。
【０１７４】
つまり、可撓性を有する補助シュート４６とバンド４７とを用いた簡単な構成でありながら、補助シュート４６の穀粒排出端での間口を穀粒の排出対象などに適した大きさに容易に変更することができ、穀粒の排出対象などに適した穀粒の排出を良好に行うことができる。
【０１７５】
図１３に示すように、穀粒タンク１１における搬出スクリュ１５の真上には、穀粒タンク内の穀粒を搬出スクリュ１５の左右に流下案内する断面形状が逆Ｖ字状の流下案内板８０を、搬出スクリュ１５に沿う前後向き姿勢で配備している。流下案内板８０は、搬出スクリュ１５の駆動に連動して、その上端部に備えた支軸８０Ａを支点にして左右揺動するように、その支軸８０Ａを偏心カム式の連動機構（図示せず）を介して搬出スクリュ１５に連動連結している。
【０１７６】
流下案内板８０の左右の案内部８０Ｂには、それらの前後方向の複数箇所に上下一対ずつ備えた螺合部８０ａを使用して、左右の補助案内板８１を着脱可能にボルト連結している。そして、各案内部８０Ｂに対する各補助案内板８１の取り付け位置や取り付け向きを変更することにより、流下案内板８０による穀粒の流下案内長さを、穀粒タンク１１の形状や穀粒の水分量などに応じて変更できるように構成している。
【０１７７】
具体的には、流下案内板８０は、その左側の流下案内長さが穀粒タンク１１の左側の形状に応じて最長になるように、左側の案内部８０Ｂにおける下側の螺合部８０ａのみを使用して、左側の補助案内板８１を、その表面を上側にし、かつ、屈曲箇所を下側にした最長状態でボルト連結している。又、その右側の流下案内長さが穀粒タンク１１の右側の形状に応じて最短になるように、右側の案内部８０Ｂにおける上下両方の螺合部８０ａを使用して、右側の補助案内板８１を、その裏面を上側にし、かつ、屈曲箇所を上側にした最短状態でボルト連結している。そして、左側の流下案内長さは、穀粒の水分量が多い場合には、左側の案内部８０Ｂにおける上下両方の螺合部８０ａを使用して、左側の補助案内板８１を、その表面を上側にし、かつ、屈曲箇所を下側にした中間長さ状態でボルト連結することにより、穀粒の水分量が多いことに起因した穀粒タンク１１の下部での穀粒詰まりの発生を防止することができる。
【０１７８】
〔第２実施形態〕
【０１７９】
以下、本発明を実施するための形態の一例として、本発明に係るコンバインの穀粒排出構造を、コンバインの一例である自脱型コンバインに適用した第２実施形態を図面に基づいて説明する。
【０１８０】
尚、この第２実施形態は、上記第１実施形態と排出シュート１７の構成が異なるだけであることから、排出シュート１７の構成についてのみ説明する。
【０１８１】
図１４及び図１５に示すように、排出シュート１７は、排出シュート１７の穀粒案内方向上手側を構成する上手側シュート部１７Ａと、排出シュート１７の穀粒案内方向下手側を構成する下手側シュート部１７Ｂとを備えている。
【０１８２】
上手側シュート部１７Ａは、揚送コンベヤ１６の排出口側である右側部に、その右側部に底板１７ａが面する右向き姿勢で、横向きの支軸４０を支点にした上下揺動が可能な状態で配備している。上手側シュート部１７Ａの遊端部には、一対の側板１７ｂにわたってそれらの上端部を連結する保形用の連結杆１７ｇを備えている。
【０１８３】
下手側シュート部１７Ｂは、その各側板１７ｂの一端部を上手側シュート部１７Ａにおける各側板１７ｂの遊端部に横向きで一対の支軸１７Ｃを介して連結することにより、上手側シュート部１７Ａに対して上下揺動可能に構成している。そして、上手側シュート部１７Ａに対する一対の支軸１７Ｃを支点にした下降揺動により、上手側シュート部１７Ａの穀粒案内方向下手側に連接する作用位置に切り換わり、かつ、上手側シュート部１７Ａに対する一対の支軸１７Ｃを支点にした上昇揺動により、上手側シュート部１７Ａに対して上方から覆い重なる状態で外嵌する非作用位置に切り換わるように構成している。
【０１８４】
つまり、上手側シュート部１７Ａに対する下手側シュート部１７Ｂの上下揺動により、下手側シュート部１７Ｂを作用位置と非作用位置とに切り換えることによって、排出シュート１７の穀粒案内方向での長さを、上手側シュート部１７Ａの穀粒案内方向の長さに設定する短尺状態と、上手側シュート部１７Ａの穀粒案内方向の長さに下手側シュート部１７Ｂの穀粒案内方向の長さを加えた長さに設定する長尺状態とに、２段階に切り換え調節可能に構成している。
【０１８５】
上記の構成から、トラックの荷台などの高所に対して穀粒を排出する場合には、排出シュート１７を短尺状態に切り換えておくことにより、排出シュート１７を荷台の周囲に立設したアオリなどに接触させ難くしながら、トラックの荷台などへの穀粒の排出を効率良く行うことができる。しかも、この短尺状態では、下手側シュート部１７Ｂが上手側シュート部１７Ａに対して上方から覆い重なる状態で外嵌することにより、下手側シュート部１７Ｂを上手側シュート部１７Ａの上下又は前後に隣接させる場合に比較して、上手側シュート部１７Ａの周辺に下手側シュート部１７Ｂの収納空間を確保する必要がなく、又、短尺状態での排出シュート１７をコンパクトにすることができる。その結果、コンバイン全体としての大型化を招くことなく、短尺状態に切り換えた排出シュート１７の他物との接触を回避し易くすることができる。
【０１８６】
一方、排出シュート１７からの穀粒を籾袋などに詰め込む袋取りを行う場合には、排出シュート１７を長尺状態に切り換えておくことにより、排出シュート１７の案内終端部を手元高さ位置に位置させることができる。これにより、排出シュート１７からの穀粒の袋取りを無理なく簡便に行えるようになり、袋取りに要する労力を軽減させることができる。しかも、この長尺状態では、排出シュート１７がその全長にわたって溝型になることから、袋取りの最中に排出シュート１７において穀粒の詰まりが生じた場合には、その詰まりを目視で早期に発見することができ、又、詰まった穀粒を排出シュート１７の開放部分から差し入れた手で排出シュート１７の下方に向けて容易に掻き流すことができる。
【０１８７】
排出シュート１７には、下手側シュート部１７Ｂを非作用位置に保持するロック機構１７Ｄを備えている。ロック機構１７Ｄは、上手側シュート部１７Ａに上下揺動可能に備えたフック部材１７ｈ、下手側シュート部１７Ｂに横向きに備えた係合ピン１７ｉ、及び、フック部材１７ｈを係合ピン１７ｃに係合付勢する捻りバネ１７ｋにより構成している。
【０１８８】
上手側シュート部１７Ａには、下手側シュート部１７Ｂの作用位置への切り換えに伴って、下手側シュート部１７Ｂの穀粒案内方向上手側端部を受け止めることにより、下手側シュート部１７Ｂを作用位置に保持するストッパ（図示せず）を備えている。そして、このストッパにて下手側シュート部１７Ｂを受け止めることにより、作用位置において下手側シュート部１７Ｂが上手側シュート部１７Ａと一直線上に並ぶ状態を安定的に維持するように構成している。
【０１８９】
下手側シュート部１７Ｂには、排出シュート１７の排出幅を、トラックの荷台などに対する通常排出用の幅広状態と、袋取り用の幅狭状態とに切り換える案内板１７Ｆを備えている。案内板１７Ｆは、下手側シュート部１７Ｂの底板１７ａにおける遊端部の幅方向中間側箇所に立設した支軸１７Ｇを支点にして揺動する状態に、その一端部を支軸１７Ｇに外嵌している。又、その垂直姿勢から後方への揺動を、下手側シュート部１７Ｂにおける底板１７ａの幅方向中間側箇所に立設した受止ピン１７Ｈにより阻止している。そして、これらにより、下手側シュート部１７Ｂの非作用位置と作用位置との揺動切り換えに伴って支軸１７Ｇを支点にして自重で揺動変位し、この揺動変位により、下手側シュート部１７Ｂの非作用位置においては、一対の側板１７ｂの間において側板１７ｂに沿って垂下する垂下姿勢を維持して一対の側板１７ｂの離間距離を排出シュート１７の排出幅に設定する幅広状態となり、又、下手側シュート部１７Ｂの作用位置においては、その遊端が前側の側板１７ｂに当接して前側の側板１７ｂから後側の側板１７ｂに向けて後側の側板側ほど下方に位置する状態に傾斜する傾斜姿勢を維持して、一対の側板１７ｂの離間距離よりも短い長さ（後側の側板１７ｂと案内板１７Ｆの揺動機端部との離間距離）を排出シュート１７の排出幅に設定する幅狭状態となるように構成している。
【０１９０】
上記の構成から、下手側シュート部１７Ｂを非作用位置に切り換えて、排出シュート１７をトラックの荷台などへの穀粒の排出に適した短尺状態に切り換えた場合には、排出シュート１７の排出幅として、トラックの荷台などに対する通常排出用の幅広状態を自動的に得ることができる。又、下手側シュート部１７Ｂを作用位置に切り換えて、排出シュート１７を穀粒の袋取りに適した長尺状態に切り換えた場合には、排出シュート１７の排出幅として袋取り用の幅狭状態を自動的に得ることができる。
【０１９１】
つまり、下手側シュート部１７Ｂを非作用位置と作用位置とに切り換えるだけで、排出シュート１７の穀粒案内方向の長さとともに排出シュート１７の排出幅を穀粒の排出箇所に適した長さに変更することができる。これにより、穀粒をトラックの荷台などに排出する際の作業効率の向上を図りながら、穀粒を袋取りする際の作業の容易化を図ることができる。
【０１９２】
〔別実施形態〕
【０１９３】
〔１〕コンバインとしては、刈取穀稈の全体を脱穀装置６の内部に投入する全稈投入型に構成したものであってもよい。又、搭乗運転部４をキャビンで覆うように構成したものであってもよい。
【０１９４】
〔２〕穀粒排出装置１２としては、穀粒タンク１１に貯留した穀粒を穀粒取出口１１Ｅからタンク外に搬出する搬出スクリュ１５を穀粒タンク１１の底部１１Ｂに備える構成に代えて、穀粒タンク１１の底部１１Ｂを、穀粒タンク１１に貯留した穀粒を穀粒取出口１１Ｅからタンク外に流下案内する傾斜面を備えるように構成したもの、あるいは、穀粒タンク１１の底部１１Ｂを振動させることで、穀粒タンク１１に貯留した穀粒を穀粒取出口１１Ｅからタンク外に流動案内するように構成したものであってもよい。
【０１９５】
〔３〕穀粒排出装置１２としては、揚送コンベヤ１６の上部後側に排出口１６Ａを形成し、揚送コンベヤ１６の排出口側となる後部側に、排出シュート１７を、その底板１７Ａが揚送コンベヤ１６の後部に面する状態で、穀粒タンク１１が作業位置に位置する状態において左右向きになる横向きの支軸４０を支点にした上下揺動による傾斜角度の変更が可能となるように構成したものであってもよい。
【０１９６】
〔４〕穀粒排出装置１２としては、揚送コンベヤ１６の上部後側に排出口１６Ａを形成し、揚送コンベヤ１６の排出口側となる後部側に、排出シュート１７を、その側板１７Ｂが揚送コンベヤ１６の後部に面する状態で、穀粒タンク１１が作業位置に位置する状態において前後向きになる横向きの支軸４０を支点にした上下揺動による傾斜角度の変更が可能となるように構成したものであってもよい。
【０１９７】
〔５〕図１６に示すように、穀粒排出装置１２としては、揚送コンベヤ１６における円筒状のコンベヤケース２１を、第２支柱２４などにより支持する下側ケース部２１Ｆと、この下側ケース部２１Ｆに相対回転可能に内嵌した上側ケース部２１Ｇとから構成し、上側ケース部２１Ｇに、排出ガイド２７及び排出シュート１７を装備して、排出シュート１７を、揚送スクリュ２３の回転中心を通る縦向きの軸心Ｘを支点にした揺動操作が可能となるように構成してもよい。
又、図示は省略するが、この構成においては、例えば、搭乗運転部４に備えた操作レバーの操作による排出シュート１７の縦向きの軸心Ｘを支点にした揺動操作が可能となるように、操作レバーと排出シュート１７とを連係ワイヤなどを介して操作連係するように構成してもよい。
【０１９８】
〔６〕揚送コンベヤ１６としてバケットコンベヤを採用してもよい。
【０１９９】
〔７〕排出シュート１７を長さ調節不能に構成してもよい。又、排出シュート１７の穀粒案内方向での長さ調節段数としては種々の変更が可能であり、例えば２段階や４段階以上に長さ調節可能に構成してもよい。更に、排出シュート１７を丸パイプ状又は角パイプ状などに形成してもよい。
【０２００】
〔８〕排出シュート用の操作機構９５としては、搭乗運転部４に備えた操作レバー９７と、操作レバー９７を排出シュート１７に連係する連係ワイヤとから、連係ワイヤが穀粒タンク１１を迂回するように構成したものであってもよい。
【０２０１】
〔９〕排出シュート用の操作機構９５を、前後向きの回動軸９６と、回動軸９６の前端部に備えた操作レバー９７と、回動軸９６の後端部に備えた排出シュート用の操作アーム９８とから構成する場合には、回動軸９６が、穀粒タンク１１の上方又は横外方を通るように構成してもよい。
【０２０２】
〔１０〕図１７に示すように、排出シュート用の操作機構９５としては、単一の丸棒鋼材又は丸パイプ材の屈曲形成により回動軸９６と操作アーム９８とを一体形成し、排出シュート１７の支軸４０を、回動軸９６及び操作アーム９８と一体形成しないように構成したものであってもよい。
この構成においては、排出シュート１７の支軸４０と操作機構９５の回動軸９６とを同一軸心上に配備するように構成してもよく、又、同一軸心上に配備しないように構成してもよい。
【０２０３】
〔１１〕排出シュート用の操作機構９５としては、単一の丸棒鋼材又は丸パイプ材の屈曲形成により回動軸９６と操作レバー９７とを一体形成し、回動軸９６の後端部に操作アーム９８を着脱可能に連結するように構成したものであってもよい。又、回動軸９６に操作レバー９７と操作アーム９８とを着脱可能に連結するように構成したものであってもよい。更に、単一の丸棒鋼材又は丸パイプ材の屈曲形成により、回動軸９６と操作レバー９７と操作アーム９８とを一体形成するように構成したものであってもよい。
【０２０４】
〔１２〕操作レバー９７としては、排出シュート１７を格納位置に位置させた場合に、機体の外端から外方に食み出さないように構成したものであってもよい。
【０２０５】
〔１３〕排出シュート１７を上方に揺動付勢する付勢手段１００として、引っ張りバネや圧縮バネを採用してもよい。
【０２０６】
〔１４〕シュート角度調節用のロック機構４１としては、揚送コンベヤ１６に、傾斜角度設定用の複数の被係合部４２ａ〜４２ｃを、揚送コンベヤ１６の穀粒搬送方向に所定間隔をあけた状態で配備し、かつ、排出シュート１７に、排出シュート１７と同方向に揺動することによって複数の被係合部４２ａ〜４２ｃに択一的に係合する突っ張り部材４３を配備することにより構成したものであってもよい。
【０２０７】
〔１５〕シュート角度調節用のロック機構４１としては、操作レバー９７に択一的に係合可能な状態で穀粒タンク１１の前端部又は搭乗運転部４に配備した複数の被係凹部などにより構成したものであってもよい。
【０２０８】
〔１６〕ロック用操作機構１０１としては、搭乗運転部４に備えたロック用操作レバー１０３と、ロック用操作レバー１０３を突っ張り部材４３に連係するロック用連係ワイヤとから、ロック用連係ワイヤが穀粒タンク１１を迂回するように構成したものであってもよい。
【０２０９】
〔１７〕ロック用操作機構１０１を、前後向きのロック用回動軸１０２と、回動軸９６の前端部に備えたロック用操作レバー１０３とから構成する場合には、ロック用回動軸９６が穀粒タンク１１の横外方を通るように構成してもよい。
【０２１０】
〔１８〕ロック用操作機構１０１としては、単一の丸棒鋼材又は丸パイプ材の屈曲形成によりロック用回動軸１０２とロック用操作レバー１０３とを一体形成し、ロック用回動軸１０２の後端部に突っ張り部材４３を着脱可能に連結するように構成したものであってもよい。又、ロック用回動軸１０２に突っ張り部材４３とロック用操作レバー１０３とを着脱可能に連結するように構成したものであってもよい。更に、単一の丸棒鋼材又は丸パイプ材の屈曲形成により、突っ張り部材４３とロック用回動軸１０２とロック用操作レバー１０３とを一体形成するように構成したものであってもよい。
【０２１１】
〔１９〕ロック用操作レバー１０３としては、排出シュート１７を格納位置に位置させた場合に、機体の外端から外方に食み出さないように構成したものであってもよい。
【０２１２】
〔２０〕突っ張り部材４３を上方に揺動付勢する付勢手段４４として、引っ張りバネや圧縮バネを採用してもよい。
【０２１３】
〔２１〕排出ガイド２７を、揚送コンベヤ１６に固定した固定部３１と、固定部３１に揚送コンベヤ１６の穀粒排出方向に揺動可能に外嵌連結した可動部３３とから構成する場合には、排出口１６Ａから穀粒を排出しない排出停止状態においては、可動部３３の自重によって開口部２７Ａの開口面積が最小になるように構成してもよい。
【０２１４】
〔２２〕開口部２７Ａの開口面積を狭める方向に可動部３３を揺動付勢する付勢手段３４として、捻りバネや圧縮バネを採用してもよい。
【０２１５】
〔２３〕シュート長さ調節用のロック機構９０としては、下手側シュート部１７Ｂに、複数の凹部９２ａと択一的に係合する専用の係合部１７ｄを装備したものであってもよい。
【０２１６】
〔２４〕シュート長さ調節用のロック機構９０としては、上手側シュート部１７Ａに外嵌した下手側シュート部１７Ｂに、所定間隔をあけて形成した複数の凹部９２ａが排出シュート１７の穀粒案内方向に並ぶように配備した鋸刃状の揺動アーム９２を備え、かつ、上手側シュート部１７Ａに、複数の凹部９２ａと択一的に係合する係合部１７ｄを配備することにより構成したものであってもよい。
【０２１７】
〔２５〕揺動アーム９２を係合付勢する付勢手段９３として、引っ張りバネや圧縮バネを採用してもよい。
【産業上の利用可能性】
【０２１８】
本発明に係るコンバインの穀粒排出構造は、穀粒タンクを備える自脱型や全稈投入型のコンバインに適用することができる。
【符号の説明】
【０２１９】
４      搭乗運転部
６      脱穀装置
１１    穀粒タンク
１２    穀粒排出装置
１６    揚送コンベヤ
１６Ａ  排出口
１７    排出シュート
１７Ａ  上手側シュート部
１７Ｂ  下手側シュート部
１７ａ  底板
１７ｂ  側板
１７ｄ  係合部（上手側連結杆）
１７ｅ  下手側連結杆
２７    排出ガイド
２７Ａ  開口部
２８    固定部
２９    可動部
３１    固定部
３３    可動部
３４    付勢手段
４０    横向きの支軸
４１    ロック機構
４２ａ  被係合部
４２ｂ  被係合部
４２ｃ  被係合部
４３    突っ張り部材
４４    付勢手段
５１    カバー体
９０    シュート長さ調節用のロック機構
９２    揺動アーム
９２ａ  凹部
９３    付勢手段
９５    機械連係式の操作機構
９６    前後向きの回動軸
９７    操作レバー
９８    排出シュート用の操作アーム
１００  付勢手段
１０１  機械連係式のロック用操作機構
１０２  前後向きのロック用回動軸
１０３  ロック用操作レバー
Ｘ      縦向きの軸心
【図１】
2014079222.tif 000003
【図２】
2014079222.tif 000004
【図３】
2014079222.tif 000005
【図４】
2014079222.tif 000006
【図５】
2014079222.tif 000007
【図６】
2014079222.tif 000008
【図７】
2014079222.tif 000009
【図８】
2014079222.tif 000010
【図９】
2014079222.tif 000011
【図１０】
2014079222.tif 000012
【図１１】
2014079222.tif 000013
【図１２】
2014079222.tif 000014
【図１３】
2014079222.tif 000015
【図１４】
2014079222.tif 000016
【図１５】
2014079222.tif 000017
【図１６】
2014079222.tif 000018
【図１７】
2014079222.tif 000019
【手続補正書】
【提出日】平成25年10月2日(2013.10.2)
【手続補正１】
【補正対象書類名】明細書
【補正対象項目名】全文
【補正方法】変更
【補正の内容】
【発明の詳細な説明】
【技術分野】
【０００１】
本発明は、穀粒タンクに貯留した穀粒を穀粒タンクの後部から機外に排出する穀粒排出装置を備えたコンバインの穀粒排出構造に関する。
【背景技術】
【０００２】
コンバインの穀粒排出構造としては、例えば、穀粒排出装置に、グレンタンク（穀粒タンク）の底部に前後向きに配備した排出スクリュと、グレンタンクから後方に突出した排出スクリュの後端部に下端部を連接したスクリュ搬送式の縦オーガと、縦オーガの上端部に一端部を連接したスクリュ搬送式の横オーガとを、それらの連動駆動が可能な状態で、かつ、横オーガの縦オーガとの連結部を基点にした旋回操作と起伏揺動操作とが可能な状態に装備し、又、横オーガを旋回駆動する旋回モータと横オーガを揺動駆動する油圧シリンダとを備えて、グレンタンクに貯留した穀粒を、横オーガの他端部（延出端部）に形成した排出口から機外の任意の排出箇所に排出するように構成したものがある（例えば特許文献１参照）。
【先行技術文献】
【特許文献】
【０００３】
【特許文献１】特開２０１１−６７１１０号公報（段落番号００１８、００１９〜００２２、図１、２）
【発明の概要】
【発明が解決しようとする課題】
【０００４】
上記の構成では、穀粒排出箇所の選択の自由度を高めるために、穀粒排出装置に、縦オーガで揚送した穀粒を横方向に搬送する横オーガ、横オーガによる穀粒の搬送方向の変更を可能にする旋回モータ、及び、横オーガの排出口から排出する穀粒の排出高さの変更を可能にする油圧シリンダ、などを備えることから、穀粒排出装置が部品点数の多い構造が複雑で大掛かりなものとなっている。そのため、穀粒排出装置を装備する上において手間やコストがかかる上に穀粒排出装置の重量が嵩むようになっていた。
【０００５】
更に、穀粒の排出を行わない作業走行時や移動走行時などにおいては、縦オーガの上端部から水平方向に延出する横オーガを予め設定した格納位置にて固定保持する必要があり、そのためには、横オーガの延出端側を格納位置にて支持する支持部材を機体に立設装備する必要があることから、穀粒排出装置を装備する上において更に手間やコストがかかるようになっていた。
【０００６】
本発明の目的は、穀粒排出装置の構成の簡素化などを図りながら、穀粒タンクに貯留した穀粒の穀粒排出装置による機外への排出を良好に行えるようにすることにある。
【課題を解決するための手段】
【０００７】
本発明の課題解決手段は、穀粒タンクに貯留した穀粒を前記穀粒タンクの後部から機外に排出する穀粒排出装置を備えたコンバインの穀粒排出構造において、
前記穀粒排出装置に、前記穀粒タンクの後方において前記穀粒タンク内の穀粒を揚送して上部の排出口から排出する揚送コンベヤと、前記排出口から排出された穀粒を機体外方に流下案内する排出シュートとを備え、
前記排出シュートを、前記揚送コンベヤの排出口側において、その上部側を支点にした上下揺動による傾斜角度の変更が可能となるように構成し、
前記穀粒タンクの前方からの前記排出シュートの上下揺動操作を可能にする機械連係式の操作機構を備えた。
【０００８】
この手段によると、穀粒タンク内の穀粒を機外の所定位置に排出する場合には、その所定位置に排出シュートが向かうように排出シュートの傾斜角度を変更した後、穀粒タンク内の穀粒を揚送コンベヤによって揚送することにより、その揚送した穀粒を上部の排出口から排出することができ、排出した穀粒を排出シュートによって機体外方の所定位置に流下案内することができる。つまり、揚送コンベヤからの穀粒を横方向に搬送する横オーガ、横オーガを旋回駆動する旋回モータ、及び、横オーガを起伏方向に揺動駆動する油圧シリンダ、などを備えることなく、穀粒タンク内の穀粒を機外の所定位置に排出することができる。
【０００９】
又、穀粒の排出を行わずに作業走行や移動走行などを行う場合には、例えば、排出シュートが揚送コンベヤに沿うように排出シュートの傾斜角度を変更することにより、排出シュートの揚送コンベヤから外方への張り出しを抑制することができる。これにより、横オーガを採用した場合に装備する必要があった横オーガを格納位置にて支持するための支持構造を不要にすることができる。
【００１０】
その上、排出シュートの傾斜角度を変更するための排出シュートの上下揺動操作は、操作機構によって、穀粒タンクの前方から行なうことができる。そして、コンバインにおいては、穀粒タンクの前方位置に搭乗運転部を配備することが一般的であることから、排出シュートの上下揺動操作を搭乗運転部から行うことができる。
【００１１】
従って、穀粒排出装置の構成の簡素化、軽量化、及びコストの削減などを図りながら、穀粒タンクに貯留した穀粒の穀粒排出装置による機外の所定位置への排出を、搭乗運転部からの操作によって良好に行うことができる。
【００１２】
本発明をより好適なものにするための手段の一つとして、
前記穀粒タンクの後方に備えた縦向きの軸心を支点にして、前記穀粒タンクが脱穀装置に隣接する作業位置と前記脱穀装置から機体横外方に離れるメンテナンス位置とにわたって揺動し、かつ、前記揚送コンベヤ及び前記排出シュートが前記穀粒タンクと一体で動くように構成した。
【００１３】
この手段によると、穀粒タンクをメンテナンス位置に揺動させることにより、作業位置では隣接していた脱穀装置と穀粒タンクとの間に広い空間を確保することができる。これにより、脱穀装置及び穀粒タンクなどに対するメンテナンスが行い易くなる。
【００１４】
又、穀粒タンクを揺動させる際には揚送コンベヤ及び排出シュートが穀粒タンクと一体で動くことから、穀粒タンクを揺動させる際に、穀粒タンクに対して揚送コンベヤ又は排出シュートを分離させる必要がなく、又、穀粒タンクの揺動で穀粒タンクが揚送コンベヤ又は排出シュートに接触する虞を未然に回避することができる。
【００１５】
従って、穀粒タンクが揚送コンベヤ又は排出シュートに接触して損傷する不都合の発生を防止しながら、穀粒タンクを作業位置とメンテナンス位置とにわたって揺動させる際の操作性の向上を図ることができ、脱穀装置及び穀粒タンクなどに対するメンテナンス性を向上させることができる。
【００１６】
本発明をより好適なものにするための手段の一つとして、
前記揚送コンベヤの排出口側を機体の横側に設定するとともに、前記排出シュートが横向きの支軸を支点にして上下揺動するように構成し、
前記操作機構に、前記穀粒タンクの前後両端部にわたる前後向きの回動軸と、前記回動軸の前端部に備えた操作レバーと、前記回動軸の後端部に備えた排出シュート用の操作アームとを備え、前記操作機構を、前記回動軸を介して前記操作レバーと前記操作アームとが一体揺動するように構成した。
【００１７】
この手段によると、操作レバーを揺動操作すると、回動軸を介して排出シュート用の操作アームが操作レバーと一体揺動して、排出シュートを上下揺動させるようになる。
【００１８】
従って、前後向きの回動軸と操作レバーと排出シュート用の操作アームとからなる簡単で安価な構成によって、排出シュートの上下揺動操作を搭乗運転部から良好に行うことができる。
【００１９】
本発明をより好適なものにするための手段の一つとして、
前記支軸と前記回動軸とを同一軸心上に配備した。
【００２０】
この手段によると、操作レバーを揺動操作して排出シュートを上下揺動させる際には、操作レバーと操作アームと排出シュートとが同一軸心を支点にして拗れのない状態で円滑に揺動する。
【００２１】
従って、操作レバーの揺動操作によって排出シュートを上下揺動させる際の操作性を向上させることができる。
【００２２】
本発明をより好適なものにするための手段の一つとして、
前記回動軸に前記支軸を一体形成した。
【００２３】
この手段によると、部品点数の削減による構成の簡素化及びコストの削減を図ることができる。その上、操作レバー及び操作アームの揺動支点となる回動軸と、排出シュートの支軸とを、簡単かつ確実に同一軸心上に位置させることができ、操作レバーによる排出シュートの上下揺動操作を、拗れのない状態で円滑に行うことができる。
【００２４】
従って、構成の簡素化及びコストの削減を図りながら、操作レバーによる排出シュートの上下揺動操作を円滑に行うことができる。
【００２５】
本発明をより好適なものにするための手段の一つとして、
前記操作機構を、単一部材の屈曲形成によって前記操作レバーと前記操作アームと前記回動軸とを備えるように構成した。
【００２６】
この手段によると、部品点数の削減による構成の簡素化及びコストの削減を図ることができる。
【００２７】
本発明をより好適なものにするための手段の一つとして、
前記回動軸が前記穀粒タンクを前後方向に貫通するように構成した。
【００２８】
この手段によると、操作レバーと操作アームとにわたる回動軸の長さを最短にすることができる。
【００２９】
従って、操作機構の構成の簡素化を図ることができる。
【００３０】
本発明をより好適なものにするための手段の一つとして、
前記操作機構を、前記穀粒タンクの前方に位置する搭乗運転部に備えた操作レバーと、前記操作レバーを前記排出シュートに連係する連係ワイヤとから構成した。
【００３１】
この手段によると、操作レバーを揺動操作すると、連係ワイヤを介して排出シュートを上下揺動させることができる。又、連係ワイヤを採用することにより、操作機構の配索の自由度が高くなり、これにより、穀粒タンクを作業位置とメンテナンス位置とにわたって揺動可能に構成した場合においても、操作レバーを搭乗運転部に配備することができる。
【００３２】
従って、操作機構を操作レバーと連係ワイヤとから簡単で安価に構成しながら、排出シュートの上下揺動操作を搭乗運転部から良好に行うことができる上に、脱穀装置及び穀粒タンクなどに対するメンテナンス性を向上させることができる。
【００３３】
本発明をより好適なものにするための手段の一つとして、
前記操作レバーが機体の外方に食み出さないように構成した。
【００３４】
この手段によると、走行時などにおいて操作レバーが他物に接触して損傷する不都合の発生を効果的に防止することができる。
【００３５】
本発明をより好適なものにするための手段の一つとして、
前記排出シュートを上方に揺動付勢する付勢手段を備えた。
【００３６】
この手段によると、排出シュートを上方に揺動操作する際の操作力を軽減することができる。又、排出シュートを下方に揺動操作する際に排出シュートが急激に下降揺動する不都合の発生を防止することができる。
【００３７】
従って、操作レバーの揺動操作によって排出シュートを上下揺動させる際の操作性を向上させることができる。
【００３８】
本発明をより好適なものにするための手段の一つとして、
前記排出シュートの任意の傾斜角度での固定保持を可能にするロック機構を備えた。
【００３９】
この手段によると、穀粒タンク内の穀粒を機外の所定位置に排出する場合には、その所定位置に排出シュートが向かうように排出シュートの傾斜角度を変更した後、ロック機構により、そのときの傾斜角度で排出シュートを固定保持することができる。
【００４０】
従って、穀粒タンクに貯留した穀粒の穀粒排出装置による機外の所定位置への排出を更に簡単かつ良好に行うことができる。
【００４１】
本発明をより好適なものにするための手段の一つとして、
前記ロック機構を、前記揚送コンベヤと前記排出シュートとのいずれか一方に、前記揚送コンベヤの穀粒搬送方向又は前記排出シュートの穀粒案内方向に所定間隔をあけた状態で配備した傾斜角度設定用の複数の被係合部と、前記揚送コンベヤと前記排出シュートとのいずれか他方に、前記複数の被係合部との択一的な係合が可能となるように前記排出シュートと同方向に揺動可能に配備した突っ張り部材とから構成し、
前記穀粒タンクの前方からの前記ロック機構の操作を可能にする機械連係式のロック用操作機構を備えた。
【００４２】
この手段によると、ロック機構を、傾斜角度設定用の複数の被係合部と突っ張り部材とから簡単で安価に構成することができる。
【００４３】
その上、ロック機構の操作は、ロック用操作機構によって穀粒タンクの前方から行なうことができる。そして、コンバインにおいては、穀粒タンクの前方位置に搭乗運転部を配備することが一般的であることから、ロック機構の操作を搭乗運転部から行うことができる。
【００４４】
従って、ロック機構の構成の簡素化及びコストの削減などを図りながら、ロック機構による任意の傾斜角度での排出シュートの固定操作及び固定解除操作を、搭乗運転部からの操作によって良好に行うことができる。
【００４５】
本発明をより好適なものにするための手段の一つとして、
前記揚送コンベヤの排出口側を機体の横側に設定するとともに、前記排出シュートが横向きの支軸を支点にして上下揺動するように構成し、
前記突っ張り部材を前記揚送コンベヤに備え、
前記ロック用操作機構に、前記穀粒タンクの前端部から前記突っ張り部材にわたる前後向きのロック用回動軸と、前記回動軸の前端部に備えたロック用操作レバーとを備え、前記ロック用操作機構を、前記ロック用回動軸を介して前記ロック用操作レバーと前記突っ張り部材とが一体揺動するように構成した。
【００４６】
この手段によると、ロック用操作レバーを揺動操作すると、ロック用回動軸を介して突っ張り部材がロック用操作レバーと一体揺動して、いずれかの被係合部に係合する状態と係合を解除する状態とに切り換わるようになる。
【００４７】
従って、前後向きのロック用回動軸とロック用操作レバーとからなる簡単で安価な構成によって、ロック機構による任意の傾斜角度での排出シュートの固定操作及び固定解除操作を、搭乗運転部からの操作によって良好に行うことができる。
【００４８】
本発明をより好適なものにするための手段の一つとして、
前記突っ張り部材と前記ロック用回動軸と前記ロック用操作レバーとを単一部材の屈曲形成によって一体形成した。
【００４９】
この手段によると、部品点数の削減による構成の簡素化及びコストの削減を図ることができる。
【００５０】
本発明をより好適なものにするための手段の一つとして、
前記ロック用操作機構を、前記穀粒タンクの前方に位置する搭乗運転部に備えたロック用操作レバーと、前記ロック用操作レバーを前記突っ張り部材に連係するロック用連係ワイヤとから構成した。
【００５１】
この手段によると、ロック用操作レバーを揺動操作すると、ロック用連係ワイヤを介して突っ張り部材が揺動し、これにより、突っ張り部材を、いずれかの被係合部に対して係合する状態と係合を解除する状態とに切り換えることができる。又、ロック用連係ワイヤを採用することにより、ロック用操作機構の配索の自由度が高くなり、これにより、穀粒タンクを作業位置とメンテナンス位置とにわたって揺動可能に構成した場合においても、ロック用操作レバーを搭乗運転部に配備することができる。
【００５２】
従って、ロック用操作機構をロック用操作レバーとロック用連係ワイヤとから簡単で安価に構成しながら、ロック機構による任意の傾斜角度での排出シュートの固定操作及び固定解除操作を、搭乗運転部から良好に行うことができる上に、脱穀装置及び穀粒タンクなどに対するメンテナンス性を向上させることができる。
【００５３】
本発明をより好適なものにするための手段の一つとして、
前記ロック用操作レバーが機体の外方に食み出さないように構成した。
【００５４】
この手段によると、走行時などにおいてロック用操作レバーが他物に接触して損傷する不都合の発生を効果的に防止することができる。
【００５５】
本発明をより好適なものにするための手段の一つとして、
前記ロック機構に、前記突っ張り部材を上方に揺動付勢する付勢手段を備えた。
【００５６】
この手段によると、ロック用操作レバーの揺動操作により、突っ張り部材を上下揺動させて、いずれかの被係合部に対して係合する状態と係合を解除する状態とに切り換える際の操作力を軽減することができる。
【００５７】
従って、ロック用操作レバーの揺動操作により、排出シュートを任意の傾斜角度において固定及び固定解除する際の操作性を向上させることができる。
【００５８】
本発明をより好適なものにするための手段の一つとして、
前記排出シュートを、前記揚送コンベヤの前記排出口の下方に配備し、
前記揚送コンベヤに、前記排出口からの穀粒を前記排出シュートに案内する排出ガイドを備え、
前記排出ガイドを、その前記排出シュートに対する開口部の開口面積を変更可能に構成した。
【００５９】
この手段によると、揚送コンベヤの排出口から排出される穀粒を、排出ガイドによって、排出口の下方に配備した排出シュートに確実に案内することができる。
【００６０】
又、穀粒タンクから搬出される穀粒の濡れ具合などに応じて排出ガイドにおける開口部の開口面積を変更することができる。これにより、例えば、穀粒タンクの穀粒が濡れ気味であるほど、開口部の開口面積を大きくすることにより、穀粒の濡れに起因して、排出ガイドの開口部において穀粒がブリッジ状に堆積して穀粒の排出を阻害する不都合の発生を防止することができる。
【００６１】
従って、穀粒タンクの穀粒を排出する際の作業効率の向上を図ることができる。
【００６２】
本発明の課題解決手段の一つとして、
穀粒タンクに貯留した穀粒を前記穀粒タンクの後部から機外に排出する穀粒排出装置を備えたコンバインの穀粒排出構造において、
前記穀粒排出装置に、前記穀粒タンクの後方において前記穀粒タンク内の穀粒を揚送して上部の排出口から排出する揚送コンベヤと、前記排出口から排出された穀粒を機体外方に流下案内する排出シュートとを備え、
前記排出シュートを、前記揚送コンベヤの前記排出口の下方に配備し、
前記揚送コンベヤに、前記排出口からの穀粒を前記排出シュートに案内する排出ガイドを備え、
前記排出ガイドを、その前記排出シュートに対する開口部の開口面積を変更可能に構成した。
【００６３】
この手段によると、揚送コンベヤの排出口から排出される穀粒を、排出ガイドによって排出口の下方に配備した排出シュートに確実に案内することができ、排出シュートによって機体外方の所定位置に流下案内することができる。つまり、揚送コンベヤからの穀粒を横方向に搬送する横オーガ、横オーガを旋回駆動する旋回モータ、及び、横オーガを起伏方向に揺動駆動する油圧シリンダ、などを備えることなく、穀粒タンク内の穀粒を機外の所定位置に排出することができる。
【００６４】
又、穀粒タンクから搬出される穀粒の濡れ具合などに応じて排出ガイドにおける開口部の開口面積を変更することができる。これにより、例えば、穀粒タンクの穀粒が濡れ気味であるほど、開口部の開口面積を大きくすることにより、穀粒の濡れに起因して、排出ガイドの開口部において穀粒がブリッジ状に堆積して穀粒の排出を阻害する不都合の発生を防止することができる。
【００６５】
従って、穀粒排出装置の構成の簡素化、軽量化、及びコストの削減などを図りながら、穀粒タンクに貯留した穀粒の穀粒排出装置による機外の所定位置への排出を良好に行うことができる。又、穀粒の濡れ具合などにかかわらず、穀粒タンクの穀粒を排出する際の作業効率を向上させることができる。
【００６６】
本発明をより好適なものにするための手段の一つとして、
前記排出ガイドに、前記揚送コンベヤに固定した固定部と、前記固定部に前記揚送コンベヤの穀粒排出方向に位置変更可能に外嵌連結した可動部とを備え、前記排出ガイドを、前記固定部に対する前記可動部の連結位置の変更により前記開口部の開口面積を変更するように構成した。
【００６７】
この手段によると、固定部に対する可動部の連結位置を穀粒排出方向に変更するだけの簡単な操作によって、穀粒の濡れ具合などに応じて開口部の開口面積を変更することができる。
【００６８】
従って、開口部の開口面積を変更する際に要する手間の軽減を図りながら、穀粒の濡れに起因して、排出ガイドの開口部において穀粒がブリッジ状に堆積して穀粒の排出を阻害する不都合の発生を防止することができる。
【００６９】
本発明をより好適なものにするための手段の一つとして、
前記排出ガイドに、前記揚送コンベヤに固定した固定部と、前記固定部に前記揚送コンベヤの穀粒排出方向に揺動可能に外嵌連結した可動部とを備え、前記排出ガイドを、前記排出口から穀粒を排出する排出状態においては、前記可動部が前記排出口からの穀粒の押圧を受けて揺動することにより前記開口部の開口面積が前記排出口からの穀粒排出量に応じて変化し、前記排出口から穀粒を排出しない排出停止状態においては、前記可動部が前記排出口からの穀粒の押圧を受けないことにより前記開口部の開口面積が最小になるように構成した。
【００７０】
この手段によると、可動部が排出口からの穀粒の押圧を受けて揺動することにより、開口部の開口面積を自動的に変更することができる。
【００７１】
従って、開口部の開口面積を変更する手間を要することなく、穀粒の濡れに起因して、排出ガイドの開口部において穀粒がブリッジ状に堆積して穀粒の排出を阻害する不都合の発生を防止することができる。
【００７２】
本発明をより好適なものにするための手段の一つとして、
前記排出ガイドに、前記開口部の開口面積を狭める方向に前記可動部を揺動付勢する付勢手段を備えた。
【００７３】
この手段によると、可動部が排出口からの穀粒の押圧を受けて、開口部の開口面積が不必要に大きくなることを防止することができる。
【００７４】
従って、開口部の開口面積が不必要に大きくなることに起因した開口部からの穀粒の漏れ出しを阻止することができる。
【００７５】
本発明をより好適なものにするための手段の一つとして、
前記開口部の開口面積を最小にした状態においては前記可動部が機体の外方に食み出さないように構成した。
【００７６】
この手段によると、穀粒タンクからの穀粒の排出を行わない場合には、開口部の開口面積を最小にすることにより、作業走行や移動走行などにおいて、排出ガイドが他物に接触して損傷する不都合の発生を防止することができる。
【００７７】
本発明をより好適なものにするための手段の一つとして、
少なくとも前記排出シュートの上部側を、底板と前記底板から立ち上がる一対の側板とからなる溝型に形成し、
前記穀粒排出装置に、前記揚送コンベヤの上部から前記排出シュートにわたって前記排出シュートの上部側を上方から覆うカバー体を備えた。
【００７８】
この手段によると、排出シュートの上部側などにおいて穀粒の詰まりが生じた場合には、カバー体を外すことにより、詰まった穀粒を排出シュートの開放部分から差し入れた手で排出シュートの下方に向けて容易に掻き流すことができる。
【００７９】
又、排出シュートの上部側などを溝型に形成したことによって生じ易くなる、穀粒が排出口から排出シュートに向けて流動する際に排出シュートの上部から穀粒が飛び出す不都合を、カバー体によって防止することができる。
【００８０】
従って、排出シュートでの穀粒の詰まりに対する対処を簡単かつ迅速に行える上に、排出シュートの上部から穀粒が飛び出すことによる穀粒回収率の低下を防止することができる。
【００８１】
本発明をより好適なものにするための手段の一つとして、
前記カバー体を前記揚送コンベヤの上部に上下揺動可能に取り付けた。
【００８２】
この手段によると、排出シュートの上下揺動操作に伴ってカバー体を排出シュートと同方向に揺動させることができる。これにより、排出シュートの上下揺動操作によって排出シュートとカバー体との間に隙間が形成され、この隙間から穀粒が漏れ出す虞を未然に回避することができる。
【００８３】
従って、排出シュートとカバー体との隙間から穀粒が漏れ出すことによる穀粒回収率の低下を防止することができる。
【００８４】
本発明をより好適なものにするための手段の一つとして、
前記排出シュートに、前記排出シュートの穀粒案内方向上手側を構成する上手側シュート部と、前記排出シュートの穀粒案内方向下手側を構成する下手側シュート部とを備え、
前記下手側シュート部を、前記上手側シュート部に対して穀粒案内方向に摺動可能に嵌合し、
前記下手側シュート部の前記上手側シュート部に対する任意の摺動位置での固定保持を可能にするシュート長さ調節用のロック機構を備えた。
【００８５】
この手段によると、排出シュートの傾斜角度の変更に加えて排出シュートの穀粒排出方向での長さを変更することができる。これにより、穀粒排出位置の調整をより細かく行えるようになり、排出シュートによる穀粒の排出位置を、穀粒排出箇所に対するより適切な位置に容易に設定変更することができる。
【００８６】
従って、排出シュートによる穀粒の排出を穀粒の排出箇所に適した良好な状態で行うことができる。
【００８７】
本発明をより好適なものにするための手段の一つとして、
前記シュート長さ調節用のロック機構を、前記上手側シュート部と前記下手側シュート部とのいずれか一方に、所定間隔をあけて形成した複数の凹部が前記排出シュートの穀粒案内方向に並ぶように配備した鋸刃状の揺動アームと、前記上手側シュート部と前記下手側シュート部とのいずれか他方に、前記複数の凹部と択一的に係合するように配備した係合部とから構成した。
【００８８】
この手段によると、シュート長さ調節用のロック機構を、鋸刃状の揺動アームと係合部とから簡単かつ安価に構成することができる。
【００８９】
従って、シュート長さ調節用のロック機構の構成の簡素化及びコストの削減などを図ることができる。
【００９０】
本発明をより好適なものにするための手段の一つとして、
前記シュート長さ調節用のロック機構に、前記揺動アームを係合付勢する付勢手段を備えた。
【００９１】
この手段によると、付勢手段により、鋸刃状の揺動アームを係合部に対する係合状態に簡単かつ確実に維持することができる。
【００９２】
従って、排出シュートの長さ調節を簡単かつ確実に行うことができる。
【００９３】
本発明をより好適なものにするための手段の一つとして、
前記下手側シュート部を、底板と前記底板から立ち上がる一対の側板とからなる溝型に形成し、
前記下手側シュート部の穀粒案内方向上手側端部に、前記一対の側板にわたってそれらの上部側を連結する上手側連結杆を備え、
前記上手側連結杆が前記係合部を兼ねるように構成した。
【００９４】
この手段によると、排出シュートを溝型に形成することにより、排出シュートにおいて穀粒の詰まりが生じた場合には、その詰まりを目視で早期に発見することが可能になる。又、詰まった穀粒を排出シュートの開放部分から差し入れた手で排出シュートの下方に向けて容易に掻き流すことができる。
【００９５】
そして、排出シュートを溝型に形成したことによって生じ易くなる排出シュートの変形を、上手側連結杆によって抑制することができる。又、この上手側連結杆がシュート長さ調節用のロック機構の係合部を兼ねることにより、シュート長さ調節用のロック機構における部品点数の削減を図ることができる。
【００９６】
従って、排出シュートでの穀粒の詰まりに対する対処を簡単かつ迅速に行える上に、排出シュートの変形を抑制しながら、部品点数の削減による構成の簡素化及びコストの削減などを図ることができる。
【００９７】
本発明をより好適なものにするための手段の一つとして、
前記下手側シュート部を、底板と前記底板から立ち上がる一対の側板とからなる溝型に形成し、
前記下手側シュート部の穀粒案内方向下手側端部に、前記一対の側板にわたってそれらの上部側を連結する下手側連結杆を備えた。
【００９８】
この手段によると、排出シュートを溝型に形成することにより、排出シュートにおいて穀粒の詰まりが生じた場合には、その詰まりを目視で早期に発見することが可能になる。又、詰まった穀粒を排出シュートの開放部分から差し入れた手で排出シュートの下方に向けて容易に掻き流すことができる。
【００９９】
そして、排出シュートを溝型に形成したことによって生じ易くなる排出シュートの変形を、下手側連結杆によって抑制することができる。又、上手側シュート部に対して下手側シュート部を摺動させる際には、その下手側連結杆を把持部として利用することができ、これにより、下手側シュート部の摺動操作が行い易くなる。
【０１００】
従って、排出シュートでの穀粒の詰まりに対する対処を簡単かつ迅速に行える上に、排出シュートの変形を抑制しながら、排出シュートの長さを調節する際の操作性を向上させることができる。
【図面の簡単な説明】
【０１０１】
【図１】自脱型コンバインの右側面図である。
【図２】自脱型コンバインの平面図である。
【図３】自脱型コンバインの背面図である。
【図４】穀粒排出装置の構成と穀粒タンクのメンテナンス位置での保持構造とを示す要部の横断平面である。
【図５】穀粒タンクのメンテナンス位置での保持構造を示す要部の横断平面図（ａ）と要部の右側面図（ｂ）である。
【図６】穀粒排出装置の構成と排出シュートの操作構造とを示す要部の一部切り欠き右側面図である。
【図７】穀粒排出装置の構成と排出シュートの操作構造とを示す要部の背面図である。
【図８】排出シュートの操作構造を示す要部の拡大背面図である。
【図９】穀粒排出装置の構成と排出シュートの操作構造とを示す要部の縦断側面図（ａ）と要部の横断平面図（ｂ）と要部の拡大横断平面図（ｃ）である。
【図１０】穀粒排出装置の構成と排出シュートの操作構造とを示す要部の分解斜視図である。
【図１１】排出ガイドの別実施形態を示す要部の正面図である。
【図１２】第１実施形態での排出シュートの構成を示す排出シュートの斜視図（ａ）と排出シュートの縦断斜視図（ｂ）である。
【図１３】流下案内板の構成を示す要部の背面図（ａ）と流下案内板の要部の斜視図（ｂ）である。
【図１４】第２実施形態での排出シュートの構成を示す要部の斜視図（ａ）と要部の右側面図（ｂ）と要部の背面図（ｃ）である。
【図１５】第２実施形態での排出シュートの構成を示す要部の斜視図である。
【図１６】別実施形態での揚送コンベヤの構成を示す要部の分解斜視図である。
【図１７】別実施形態での排出シュートの操作構造を示す要部の一部切り欠き右側面図である。
【発明を実施するための形態】
【０１０２】
〔第１実施形態〕
【０１０３】
以下、本発明を実施するための形態の一例として、本発明に係るコンバインの穀粒排出構造を、コンバインの一例である自脱型コンバインに適用した第１実施形態を図面に基づいて説明する。
【０１０４】
図１〜３に示すように、本実施形態で例示する自脱型コンバインは、角パイプ材などの複数の鋼材を連結して機体フレーム１を構成している。機体フレーム１の下部には左右一対のクローラ２を装備している。機体フレーム１における右半部の前側には、エンジン３を搭載するとともに搭乗運転部４を形成している。機体フレーム１における左側の前端部には、作業走行時に機体の前方に位置する収穫対象の作物穀稈を刈り取って後方に搬送する刈取搬送装置５を、左右向きの支軸（図示せず）を支点にした昇降揺動操作が可能となるように連結装備している。機体フレーム１の左半部には、刈取搬送装置５が搬送した刈取穀稈を受け取って後方に搬送しながら刈取穀稈の着粒部に脱穀処理を施し、この脱穀処理で得た処理物に選別処理を施す脱穀装置６を搭載している。脱穀装置６における上側の後部には、脱穀処理後の脱粒穀稈を脱穀装置６の挟持搬送機構７から受け取って脱穀装置６の上部後方に搬送する脱粒穀稈搬送装置８を配備している。脱穀装置６における下側の後端部には、脱粒穀稈搬送装置８が搬送した脱粒穀稈の細断排出を可能にする細断装置９を連結装備している。機体フレーム１における右半部の後側には、脱穀装置６からスクリュ揚送式の供給コンベヤ１０を介して揚送搬出した穀粒を貯留する板金製の穀粒タンク１１を搭載している。穀粒タンク１１には、穀粒タンク１１に貯留した穀粒の機外への排出を可能にする穀粒排出装置１２を装備している。
【０１０５】
図４に示すように、細断装置９は、機体フレーム１の右後端部に立設した第１支柱１３に、この第１支柱１３に備えた上下一対の縦向きの支軸１４を介して、それらの支軸１４を支点にした横方向への揺動操作が可能となるように連結している。これにより、脱粒穀稈搬送装置８が搬送した脱粒穀稈の細断排出が可能となるように脱粒穀稈搬送装置８の下方に位置して脱穀装置６の後端に連接する作業位置と、その遊端側ほど脱穀装置６の後端から穀粒タンク側に大きく離れて脱穀装置６の後端との間を大きく開放するメンテナンス位置とにわたる、縦軸心回りの揺動操作が可能となるように構成している。
【０１０６】
図示は省略するが、脱穀装置６の左後端部と細断装置９の遊端部には、細断装置９の作業位置での固定保持を可能にするロック機構の構成部品をそれぞれ装備している。又、第１支柱１３には、細断装置９の当接により、細断装置９の所定のメンテナンス位置から穀粒タンク側への揺動を阻止するストッパを装備している。
【０１０７】
図１〜７及び図１３に示すように、穀粒タンク１１は、その左上端部の前後中間位置に、供給コンベヤ１０の上端部に形成した穀粒排出口１０Ａに連通する穀粒受入口１１Ａを形成している。又、その左右の側板１１Ｂ，１１Ｃの下部側に、穀粒タンク１１に貯留した穀粒を左右中央側の底部に形成した穀粒搬出部１１Ｄに流下案内する傾斜部１１Ｂａ，１１Ｃａを備えている。そして、その穀粒搬出部１１Ｄの後端に、穀粒タンク１１に貯留した穀粒の穀粒タンク外への取り出しを可能にする穀粒取出口１１Ｅを形成している。
【０１０８】
図１〜１０に示すように、穀粒排出装置１２は、穀粒搬出部１１Ｄに位置して穀粒タンク内の穀粒を穀粒取出口１１Ｅからタンク外に搬出する搬出スクリュ１５、搬出スクリュ１５が搬出した穀粒を揚送して上部の排出口１６Ａから排出する揚送コンベヤ１６、及び、その排出口１６Ａから排出された穀粒を機体の右外方に流下案内する排出シュート１７、などを備えて構成している。
【０１０９】
搬出スクリュ１５は、そのスクリュ軸１５Ａの前端部が穀粒タンク１１の前端から前方に突出する状態となり、かつ、搬出スクリュ１５の後端部が、穀粒タンク１１の穀粒取出口１１Ｅを通って、穀粒タンク１１の底部後端に連接した穀粒排出ケース１８の内部に位置する状態となるように、穀粒タンク１１の穀粒搬出部１１Ｄに前後向きに配備している。そして、スクリュ軸１５Ａの前端部には、エンジン３から穀粒排出装置１２への伝動を断続するベルトテンション式の排出クラッチ１９を連結している。スクリュ軸１５Ａの後端部には、ベベルギア（図示せず）を搬出スクリュ１５と一体回転する状態で連結している。
【０１１０】
揚送コンベヤ１６は、穀粒排出ケース１８の上端部に上下向きに連通接続した円筒状のコンベヤケース２１、コンベヤケース２１の上端に形成した開口２１Ａを閉塞する蓋体２２、及び、コンベヤケース２１の内部に回転可能に備えた揚送スクリュ２３、などによってスクリュ搬送式に構成するとともに、穀粒タンク１１の後部に穀粒排出ケース１８を介して連接装備している。
【０１１１】
揚送スクリュ２３は、その下端部がコンベヤケース２１から下方に延出して穀粒排出ケース１８の内部に位置するように構成している。そして、そのスクリュ軸２３Ａの下端部には、搬出スクリュ１５のスクリュ軸１５Ａに連結したベベルギアと噛み合い連動するベベルギア（図示せず）を揚送スクリュ２３と一体回転する状態に連結している。揚送スクリュ２３の上部には、揚送スクリュ２３と一体回転することにより、揚送スクリュ２３が揚送コンベヤ１６の上部まで揚送した穀粒を排出口１６Ａから水平方向に放擲する放擲板２３Ｂを装備している。
【０１１２】
穀粒排出ケース１８は、２つのベベルギアを噛み合い連動可能に支持した状態で収納するギア収納空間と、穀粒タンク１１の内部とコンベヤケース２１の内部とを穀粒の搬出が可能な状態に連通する連通空間とを備えたＬ字型に形成している。
【０１１３】
コンベヤケース２１の上部には、その上部の右側部分に形成した排出口１６Ａから放出された穀粒を、コンベヤケース２１の右外側下方に向けて案内する排出ガイド２７を着脱可能にボルト連結している。そして、コンベヤケース２１における排出ガイド２７の真下位置に、排出ガイド２７が案内した穀粒を機体の右外方に流下案内するように排出シュート１７を配備している。
【０１１４】
上記の構成から、穀粒排出装置１２は、排出クラッチ１９の断続操作によって作動状態と停止状態とに切り換えることができる。そして、作動状態では、排出クラッチ１９を介したエンジン３からの動力によって搬出スクリュ１５が回転し、搬出スクリュ１５と揚送スクリュ２３とがベベルギアを介して連動する。これにより、穀粒タンク１１に貯留した穀粒を搬出スクリュ１５によって穀粒取出口１１Ｅから搬出して穀粒排出ケース１８の連通空間に送り込むことができる。又、その連通空間に送り込んだ穀粒を揚送スクリュ２３によって揚送コンベヤ１６の上部に揚送することができ、その上部に揚送した穀粒を放擲板２３Ｂによって排出口１６Ａから水平方向に放擲することができる。そして、放擲した穀粒を排出ガイド２７によって下方の排出シュート１７に向けて案内することができ、その案内された穀粒を排出シュート１７によって機体の右外側下方に位置するトラックの荷台などの所定の穀粒排出箇所に流下案内することができる。
【０１１５】
つまり、穀粒タンク１１に貯留した穀粒を、排出シュート１７を備える簡単で安価な構成の穀粒排出装置１２によって機体右外側下方の穀粒排出箇所に良好に排出することができる。
【０１１６】
図９及び図１０に示すように、コンベヤケース２１は、その上部における排出口１６Ａを形成しない左側部分の内面に、その左側部分における放擲板２３Ｂの放擲作用を受けた穀粒との摺接による摩耗を抑制する補強板３８を接合装備している。補強板３８は、強度の高い高張力鋼又は超高張力鋼などを採用して、コンベヤケース２１の内面に沿った半円弧状で、排出口１６Ａに対向する上側領域と揚送スクリュ２３における上側のスクリュ羽根の１ピッチ分に重合する下側領域とを備える縦長に形成している。そして、複数の皿ビス３９により着脱可能にコンベヤケース２１の内面に取り付けている。又、補強板３８の各皿ビス挿通孔３８ａには、皿ビス３９の頭部側端面が補強板３８の内面よりも揚送スクリュ２３から離れるように、皿ビス３９の頭部を補強板３８に沈み込ませる皿ザグリ３８ｂを形成している。
【０１１７】
これにより、放擲板２３Ｂの放擲作用を受けた穀粒との摺接による摩耗に対するコンベヤケース２１の耐久性を向上させることができる。又、補強板３８に摩耗が生じた場合には補強板３８を簡単に交換することができる。その上、穀粒との摺接による各皿ビス頭部の摩耗を効果的に抑制することができ、皿ビス頭部の摩耗に起因して補強板３８の交換が困難になる不都合の発生を防止することができる。
【０１１８】
ちなみに、コンベヤケース２１における上部の補強構造としては、コンベヤケース２１の上部における左側部分の内面又は外面に、補強板３８を、溶接によって接合装備するようにしてもよい。又、コンベヤケース２１の上部における左側部分の外面に、補強板３８を、着脱可能に接合装備するようにしてもよい。
【０１１９】
図１〜３、図６、図７、図９及び図１０に示すように、揚送コンベヤ１６は、その上端が穀粒タンク１１の上端よりも上方に位置するように構成している。そして、その上端に備えた蓋体２２をコンベヤケース２１の上端に着脱可能にボルト連結している。又、その蓋体２２の裏面に、揚送スクリュ２３のスクリュ軸２３Ａの上端部を抜き差し可能な状態で相対回転可能に支持する軸支部２２Ａを備えている。更に、スクリュ軸２３Ａの下端部とベベルギアとの連結を、それらの一体回転を可能にしながらベベルギアに対するスクリュ軸２３Ａの上方からの係脱を許容する嵌合（例えばスプライン嵌合）で行うように構成している。穀粒排出ケース１８の上端部には、揚送スクリュ２３の下端部を受け止め支持する支持部（図示せず）を備えている。
【０１２０】
上記の構成から、搬出スクリュ１５と揚送スクリュ２３とをベベルギアを介して連動連結する構造を採用しながらも、コンベヤケース２１の上端から蓋体２２を取り外すことにより、揚送スクリュ２３の真上に位置する開口２１Ａを開放することができる。そして、この開口２１Ａから揚送スクリュ２３を引き上げることにより、スクリュ軸２３Ａの下端部とベベルギアとの嵌合を解除することができ、コンベヤケース２１から揚送スクリュ２３を抜き出すことができる。これにより、コンベヤケース２１や揚送スクリュ２３に対する清掃、揚送スクリュ２３の交換、あるいは、前述した補強板３８の交換、などのメンテナンスを行い易くすることができる。
【０１２１】
又、メンテナンス後は、開口２１Ａから揚送スクリュ２３を挿入してスクリュ軸２３Ａの下端部をベベルギアに嵌合することにより、揚送スクリュ２３を搬出スクリュ１５に連動連結することができる。その後、スクリュ軸２３Ａの上端部に蓋体２２の軸支部２２Ａを嵌合し、蓋体２２をコンベヤケース２１の上端にボルト連結することにより、コンベヤケース２１の内部に揚送スクリュ２３を駆動可能な適正状態で配備することができる。
【０１２２】
その上、揚送コンベヤ１６の上端が穀粒タンク１１の上端よりも上方に位置することにより、コンベヤケース２１に対して揚送スクリュ２３を抜き差しする際に揚送スクリュ２３が穀粒タンク１１の上部に不測に接触して揚送スクリュ２３及び穀粒タンク１１が損傷する不都合を招き難くすることができる。
【０１２３】
図１〜１２に示すように、穀粒排出ケース１８の底部には、揚送スクリュ２３の回転中心と同心上に位置する状態で底部から下方に向けて延出する円筒状の支軸部１８Ａを一体形成している。支軸部１８Ａは、機体フレーム１の右後端部に備えた軸支部１Ａに相対回転可能に内嵌した状態で、その軸支部１Ａによって下方から受け止め支持されている。
【０１２４】
穀粒排出ケース１８及びコンベヤケース２１は、穀粒排出ケース１８の上部において左右向きに突出形成した左右の第１連結部１８Ｂと、コンベヤケース２１の下部において穀粒排出ケース１８の各第１連結部１８Ｂと対向する状態に配備した左右の第２連結部２１Ｄとをボルト連結することにより、穀粒排出ケース１８とコンベヤケース２１とを、穀粒排出ケース１８からのコンベヤケース２１の抜け出しを阻止した連通接続状態で相対回転不能に連結することができる。
【０１２５】
コンベヤケース２１の各第２連結部２１Ｄは、コンベヤケース２１の下端部において左右向きに突設した左右一対の第１板体２１Ｄａと、各第１板体２１Ｄａの延出端に垂下姿勢で溶接した第２板体２１Ｄｂとから構成している。
【０１２６】
コンベヤケース２１は、その上下中間側の所定位置を、機体フレーム１の右後端部に立設した第２支柱２４に、この第２支柱２４の上端部に備えたホルダ２５を介して、揚送スクリュ２３のスクリュ軸２３Ａを支点にした相対回転が可能な状態で連結している。コンベヤケース２１の上部は、穀粒タンク１１に固定具２６を介して相対回転不能に連結している。コンベヤケース２１の下端部は、穀粒タンク１１に連結した穀粒排出ケース１８に上下方向での抜き差しが可能となるように連結している。
【０１２７】
上記の構成から、穀粒排出装置１２の揚送コンベヤ１６を、揚送スクリュ２３の回転中心と穀粒排出ケース１８の支軸部１８Ａの中心とを通る縦向きの軸心Ｘを支点にした回動が可能な状態で機体フレーム１に立設することができ、その揚送コンベヤ１６を支点にして穀粒タンク１１と穀粒排出装置１２とを一体揺動させることができる。
【０１２８】
これにより、穀粒タンク１１を、その後方に備えた縦向きの軸心Ｘ（揚送コンベヤ１６）を支点にして、脱穀装置６の右側端に隣接して供給コンベヤ１０の穀粒排出口１０Ａと穀粒タンク１１の穀粒受入口１１Ａとが連通接合する作業位置と、供給コンベヤ１０の穀粒排出口１０Ａと穀粒タンク１１の穀粒受入口１１Ａとの連通接合を解除して脱穀装置６から機体の右外方に離れるメンテナンス位置とにわたって揺動変位させることができる（図２参照）。そして、穀粒タンク１１をメンテナンス位置に揺動変位させることにより、作業位置では隣接していた脱穀装置６と穀粒タンク１１との間に広い空間を確保しながら脱穀装置６の右側部及び穀粒タンク１１の左側部などを開放することができる。その結果、脱穀装置６及び穀粒タンク１１などに対するメンテナンスを行い易くすることができる。
【０１２９】
図示は省略するが、穀粒タンク１１は、第１ロック機構及び第２ロック機構による作業位置での固定保持が可能となるように構成している。第１ロック機構は、機体フレーム１の所定位置に穿設した係合孔、及び、この係合孔に対する係合方向にバネ付勢した状態で穀粒タンク１１の前下部に備えた下向きＬ字型の係合ピン、などによって穀粒タンク１１の下部側に対して作用するように構成している。第２ロック機構は、脱穀装置６の前上部に備えた係止ピン、及び、穀粒タンク１１の前上部に揺動可能に備えた係合フック、などによって穀粒タンク１１の上部側に対して作用するように構成している。係合フックは、穀粒タンク１１の前下部に備えたロック解除レバーに連係ロッドを介して連係している。
【０１３０】
図１、図２及び図６に示すように、排出クラッチ１９は、その伝動ベルト１９Ａをテンションアーム１９Ｂの揺動操作によって緊張状態と弛緩状態とに切り換えることにより、エンジン３からの動力を穀粒排出装置１２に伝達する伝動状態と、その伝動を遮断する遮断状態とに切り換わるように構成している。テンションアーム１９Ｂは、搭乗運転部４において運転座席３５の左後方箇所に配備した排出クラッチレバー３６に連係機構３７を介して連係している。
【０１３１】
上記の構成から、穀粒タンク１１をメンテナンス位置に揺動操作する際には、排出クラッチレバー３６を操作して排出クラッチ１９を遮断状態に切り換え、この切り換えで弛緩した伝動ベルト１９Ａを、スクリュ軸１５Ａと一体回転する排出クラッチ１９の出力プーリ１９Ｃから外した後、第１ロック機構及び第２ロック機構による穀粒タンク１１の作業位置での固定保持を解除することにより、穀粒タンク１１のメンテナンス位置への揺動操作を可能にすることができる。
【０１３２】
図４及び図５に示すように、第２支柱２４には、穀粒タンク１１の機体右外方への揺動操作時に、コンベヤケース２１の右側部（機体外側部分）に配備した第２連結部２１Ｄの第１板体２１Ｄａとの当接により、穀粒タンク１１の機体右外方への揺動範囲を制限する鋼板製のストッパ２０を上下向きに装備している。
【０１３３】
又、揚送コンベヤ１６と第２支柱２４とにわたって、穀粒タンク１１の第１メンテナンス位置及び第２メンテナンス位置での位置保持を可能にする保持機構６０を装備している。第１メンテナンス位置は、穀粒タンク１１の脱穀装置６からの離間距離が最大になる位置に設定している。つまり、揚送コンベヤ１６の右側部に備えた第２連結部２１Ｄの第２板体２１Ｄｂがストッパ２０に当接したときに得られる穀粒タンク１１の位置を第１メンテナンス位置に設定している。第２メンテナンス位置は、所定のメンテナンス位置に揺動操作した細断装置９と排出シュート１７との干渉を避けるために、穀粒タンク１１の脱穀装置６からの離間距離が第１メンテナンス位置よりも短い距離になるように設定している。
【０１３４】
保持機構６０は、上下向きの挿通孔６１ａを形成するボス６１Ａを備えた第１部材６１、揚送コンベヤ１６を支点にした穀粒タンク１１の揺動操作によって第１部材６１の挿通孔６１ａに対向する第１挿通孔６２ａと第２挿通孔６２ｂとを穿設した第２部材６２、及び、第１部材６１と第２部材６２との対向した挿通孔６１ａ，６２ａ，６２ｂに挿通する挿通ピン６３、などにより構成している。
【０１３５】
第１部材６１は、穀粒排出ケース１８に対してコンベヤケース２１を抜け止めするための穀粒排出ケース側の左右の第１連結部１８Ｂとコンベヤケース側の左右の第２連結部２１Ｄとのボルト連結とともに揚送コンベヤ１６にボルト連結することにより、揚送コンベヤ１６に装備している。第２部材６２は、前述したストッパ２０の上端部から右方向に延出する状態でストッパ２０に一体形成している。そして、揚送コンベヤ１６の右側部に備えた第２連結部２１Ｄの第２板体２１Ｄｂがストッパ２０に当接した状態では、第１部材６１の挿通孔６１ａが第２部材６２の第１挿通孔６２ａに対向するように構成している。
【０１３６】
上記の構成から、例えば、脱穀装置６の穀粒タンク側や穀粒タンク１１などに対するメンテナンスを行う必要があり、かつ、脱穀装置６の細断装置側や細断装置９などに対するメンテナンスを行う必要がない場合には、保持機構６０によって穀粒タンク１１を第１メンテナンス位置に位置保持することにより、脱穀装置６と穀粒タンク１１との間を最大限に大きく開放した状態を維持することができ、脱穀装置６の穀粒タンク側や穀粒タンク１１などに対するメンテナンスを行い易くすることができる。
【０１３７】
又、脱穀装置６の穀粒タンク側や穀粒タンク１１などに対するメンテナンスとともに、脱穀装置６の細断装置側や細断装置９などに対するメンテナンスを行う必要がある場合には、穀粒タンク１１を第２メンテナンス位置に位置保持することにより、脱穀装置６の穀粒タンク側や穀粒タンク１１などに対するメンテナンスを行うことができるとともに、脱穀装置６の細断装置側や細断装置９などに対するメンテナンスを行うために、細断装置９をメンテナンス位置に揺動変位させた際に、穀粒タンク側の排出シュート１７に細断装置９が接触する虞を未然に回避することができる。
【０１３８】
図７、図９及び図１０に示すように、揚送コンベヤ１６の排出口１６Ａは、コンベヤケース２１の上部に備えた枠部材２１Ｂによって、コンベヤケース２１の直径と同幅で縦長の矩形状に形成している。又、穀粒タンク１１が作業位置に位置する状態において機体の真右方向を向くように設定している。そして、この枠部材２１Ｂに、排出口１６Ａからの穀粒を排出シュート１７に案内する排出ガイド２７を、枠部材２１Ｂに排出ガイド２７を外嵌した状態で着脱可能にボルト連結している。
【０１３９】
排出ガイド２７は、コンベヤケース２１の枠部材２１Ｂにボルト連結した固定部２８、及び、固定部２８に揚送コンベヤ１６の穀粒排出方向に位置変更可能に外嵌連結した可動部２９、などにより構成している。固定部２８は、その前後の各側板部分に上下一対の螺合部２８ａを備えている。可動部２９は、その前後の各側板部分に螺合部２８ａに対応する左右向きの長孔２９ａを形成している。そして、それらの螺合部２８ａ及び長孔２９ａを使用した蝶ボルト３０によるボルト連結により、長孔２９ａの範囲内において固定部２８に対する可動部２９の連結位置を変更することができ、排出ガイド２７における開口部２７Ａの開口面積を変更することができるように構成している。
【０１４０】
各螺合部２８ａは、固定部２８の前後の各側板部分に上下一対ずつ穿設したボルト挿通孔、及び、各ボルト挿通孔に対応させた状態で固定部２８の内面側に溶接したナットによって構成している。
【０１４１】
これにより、穀粒タンク１１から搬出される穀粒の濡れ具合などに応じて排出ガイド２７における開口部２７Ａの開口面積を変更することができる。そして、例えば、穀粒タンク１１の穀粒が濡れ気味であるほど、開口部２７Ａの開口面積が大きくなるように固定部２８に対する可動部２９の連結位置を変更することにより、穀粒の濡れに起因して、排出ガイド２７の開口部２７Ａにおいて穀粒がブリッジ状に堆積して穀粒の排出を阻害する不都合の発生を防止することができる。
【０１４２】
図１１に示すように、排出ガイド２７としては、コンベヤケース２１の枠部材２１Ｂにボルト連結した固定部３１、固定部２８に蝶番３２を介して揚送コンベヤ１６の穀粒排出方向に揺動可能に外嵌連結した可動部３３、及び、開口部２７Ａの開口面積を狭める方向に可動部３３を揺動付勢する付勢手段３４としての引っ張りバネ３４、などを備えて、揚送コンベヤ１６の排出口１６Ａから穀粒を排出する排出状態においては、可動部３３が排出口１６Ａからの穀粒の押圧を受けて揺動することにより、開口部２７Ａの開口面積が排出口１６Ａからの穀粒排出量に応じて変化し、又、排出口１６Ａから穀粒を排出しない排出停止状態においては、可動部３３が排出口１６Ａからの穀粒の押圧を受けないことにより、開口部２７Ａの開口面積が最小になるように構成したものであってもよい。
【０１４３】
図２、図３及び図７に示すように、排出ガイド２７は、前述した摺動式と揺動式とにかかわらず、その開口部２７Ａの開口面積を最小にした状態においては、可動部２９，３３が機体の右端部から右外方に食み出さないように構成している。つまり、摺動式の排出ガイド２７においては、穀粒タンク１１の穀粒を排出しない走行時には、開口部２７Ａの開口面積が最小になるように固定部２８に対する可動部２９の連結位置を変更することにより、又、揺動式の排出ガイド２７においては、穀粒タンク１１の穀粒を排出しない走行時には、引っ張りバネ３４の作用によって開口部２７Ａの開口面積が最小になることにより、走行時に排出ガイド２７が他物に接触する不都合を招き難くすることができる。
【０１４４】
図６〜１０に示すように、コンベヤケース２１は、枠部材２１Ｂの真下位置に円弧状の補強板２１Ｅを介して排出シュート用の支持部材２１Ｃを溶接装備している。そして、この支持部材２１Ｃに、排出シュート１７の基端部である穀粒案内方向上手側の端部を、穀粒タンク１１が作業位置に位置する状態において前後向きになる横向きの支軸４０を介して、この支軸４０を支点にした排出シュート１７の上下揺動が可能となるように連結している。
【０１４５】
このように、コンベヤケース２１における排出シュート１７の支持部を補強板２１Ｅによって補強したことにより、排出シュート１７を他物に接触させた場合にコンベヤケース２１が変形する不都合の発生を防止することができる。これにより、コンベヤケース２１の変形により、コンベヤケース２１や揚送コンベヤ１６の全体を交換する必要が生じる虞を効果的に抑制することができる。
【０１４６】
図１〜４及び図６〜１２に示すように、排出シュート１７は、排出シュート１７の穀粒案内方向上手側を構成する上手側シュート部１７Ａと、排出シュート１７の穀粒案内方向下手側を構成する下手側シュート部１７Ｂとを備えている。各シュート部１７Ａ，１７Ｂは、底板１７ａと底板１７ａから平行に立ち上がる一対の側板１７ｂとを備える溝型で、かつ、上手側シュート部１７Ａに対して下手側シュート部１７Ｂが穀粒案内方向に摺動可能な内接状態で嵌合するように構成している。
【０１４７】
上手側シュート部１７Ａは、揚送コンベヤ１６の排出口側である右側部に、その右側部に底板１７ａが面する右向き姿勢で、横向きの支軸４０を支点にした上下揺動が可能な状態で配備している。又、その一対の側板１７ｂの上端部を内側に屈曲させることにより、下手側シュート部１７Ｂの一対の側板１７ｂを穀粒案内方向に摺動案内する一対の案内溝１７ｃを形成している。下手側シュート部１７Ｂは、その穀粒案内方向の上手側端部と下手側端部とに、一対の側板１７ｂにわたってそれらの上部側を連結する保形用の上手側連結杆１７ｄと下手側連結杆１７ｅとを備えている。そして、下手側連結杆１７ｅは、上手側シュート部１７Ａに対して下手側シュート部１７Ｂを摺動させる際の把持部として使用することができるようになっている。
【０１４８】
排出シュート１７には、上手側シュート部１７Ａに対して下手側シュート部１７Ｂを任意の摺動位置に固定保持するシュート長さ調節用のロック機構９０を備えている。ロック機構９０は、上手側シュート部１７Ａの前側の側板１７ｂにおける穀粒案内方向上手側端部に、前後向きの支軸９１を介して揺動可能に連結した揺動アーム９２を備えている。揺動アーム９２は、排出シュート１７の底板１７ａに対向する端縁に、複数の凹部９２ａを、排出シュート１７の穀粒案内方向に所定間隔をあけて並ぶ状態で備えた鋸刃状に形成している。そして、それらの凹部９２ａが択一的に下手側シュート部１７Ｂの上手側連結杆１７ｄに係合することにより、下手側シュート部１７Ｂを上手側シュート部１７Ａに対する任意の摺動位置に固定保持するように構成している。
【０１４９】
支軸９１には、揺動アーム９２を下手側シュート部１７Ｂの上手側連結杆１７ｄに向けて係合付勢する付勢手段９３としての捻りバネ９３を外嵌装備している。揺動アーム９２の遊端には、捻りバネ９３の付勢に抗した揺動アーム９２の係合解除方向への揺動操作を行い易くするＬ字状の操作杆９２Ａを溶接している。揺動アーム９２の各凹部９２ａは、穀粒案内方向下手側の縁部により下手側シュート部１７Ｂの上手側連結杆１７ｄを受け止め、穀粒案内方向上手側の傾斜縁部により、凹部９２ａからの上手側連結杆１７ｄの上方への離脱を許容する形状に形成している。
【０１５０】
つまり、下手側シュート部１７Ｂの上手側連結杆１７ｄ、鋸刃状の揺動アーム９２、及び捻りバネ９３、などにより、シュート長さ調節用のロック機構９０を構成している。又、下手側シュート部１７Ｂの上手側連結杆１７ｄが、揺動アーム９２に形成した複数の凹部９２ａと択一的に係合する係合部を兼ねるように構成している。
【０１５１】
そして、上記の構成から、排出シュート１７の長さを長くする場合には、先ず、下手側シュート部１７Ｂの下手側連結杆１７ｅと揺動アーム９２の操作杆９２Ａとを把持し、捻りバネ９３の付勢に抗して揺動アーム９２を係合解除方向に揺動させて、下手側シュート部１７Ｂの上手側連結杆１７ｄと揺動アーム９２の凹部９２ａとの係合を解除する。次に、上手側シュート部１７Ａに対して下手側シュート部１７Ｂを任意の摺動位置まで穀粒案内方向下手側に摺動させた後、捻りバネ９３の付勢によって、そのときの摺動位置に対応する揺動アーム９２の凹部９２ａを下手側シュート部１７Ｂの上手側連結杆１７ｄに係合させる。
【０１５２】
逆に、排出シュート１７の長さを短くする場合には、下手側シュート部１７Ｂの下手側連結杆１７ｅを把持して、捻りバネ９３の付勢に抗して、上手側シュート部１７Ａに対して下手側シュート部１７Ｂを任意の摺動位置まで穀粒案内方向上手側に摺動させた後、捻りバネ９３の付勢によって、そのときの摺動位置に対応する揺動アーム９２の凹部９２ａを下手側シュート部１７Ｂの上手側連結杆１７ｄに係合させる。
【０１５３】
これにより、排出シュート１７の長さを任意の長さに簡単に調節することができる。
【０１５４】
尚、上手側シュート部１７Ａにおける揺動アーム９２の支持部には補強板１７ｆを溶接している。そして、この補強板１７ｆが、下手側シュート部１７Ｂとの当接により、上手側シュート部１７Ａに対する下手側シュート部１７Ｂの穀粒案内方向上手側への摺動を制限するストッパとして機能するように構成している。
【０１５５】
図１〜３、図６、図７、図９及び図１０に示すように、穀粒排出装置１２は、揚送コンベヤ１６の上部から排出シュート１７にわたって排出シュート１７の穀粒案内方向上手側である上部側を上方から覆うカバー体５１を開閉可能に備えている。カバー体５１は、板金製でＵ字状に屈曲形成した保形部材５１Ａに、透明で可撓性を有する樹脂シート５１Ｂの一側縁部をボルト止めして構成している。そして、排出ガイド２７に左右一対の蝶番５２を介して上下揺動可能に連結し、かつ、排出ガイド２７と保形部材５１Ａとにわたってトグルバネ５３を架設することにより、排出シュート１７の上下揺動を許容するとともに、排出シュート１７の上部側を上方から覆う閉状態と、排出シュート１７の上部側を開放する開状態とに切り換え保持可能に構成している。
【０１５６】
上記の構成から、カバー体５１を軽量で安価に構成しながらも、排出シュート１７の穀粒案内方向上手側での穀粒の漏れ出しを防止することができる。又、カバー体５１の開閉状態にかかわらず、排出シュート１７の穀粒案内方向上手側での穀粒の流動状態を容易に視認することができる。これにより、排出シュート１７の穀粒案内方向上手側において穀粒の詰まりが生じた場合には、カバー体５１を開状態に切り換え保持することにより、穀粒の詰まりに対する適切な処置を容易に行うことができる。
【０１５７】
尚、カバー体５１としては、板金材などを採用して剛性を有するように構成したものであってもよい。
【０１５８】
図３及び図６〜１０に示すように、穀粒排出装置１２には、支軸４０を支点にして上下揺動する排出シュート１７を任意の傾斜角度に固定保持するシュート角度調節用のロック機構４１を備えている。ロック機構４１は、排出シュート１７における上手側シュート部１７Ａの底板１７ａに排出シュート１７の穀粒案内方向に沿って上下向きに装備した受止部材４２、揚送コンベヤ１６のコンベヤケース２１に排出シュート１７と同方向に上下揺動可能に装備した突っ張り部材４３、及び、突っ張り部材４３を受止部材４２が位置する上方に揺動付勢する付勢手段４４としての捻りバネ４４によって構成している。
【０１５９】
受止部材４２には、排出シュート１７の穀粒案内方向に所定間隔をあけた傾斜角度設定用の３つの被係合部としての凹部４２ａ〜４２ｃを備えた案内溝４２Ａを排出シュート１７の穀粒案内方向に沿って上下向きに形成している。突っ張り部材４３は、その遊端部に受止部材４２の各凹部４２ａ〜４２ｃに択一的に係入する係合部４３ａを屈曲形成している。そして、突っ張り部材４３の操作と捩りバネ４４の作用によって、突っ張り部材４３の係合部４３ａが受止部材４２の各凹部４２ａ〜４２ｃに択一的に係入することにより、その係入状態を維持して排出シュート１７を任意の傾斜角度で受け止め支持するように構成している。
【０１６０】
穀粒排出装置１２は、排出シュート１７を揚送コンベヤ１６に沿う垂下姿勢で揚送コンベヤ１６に最接近させた格納位置に保持する保持機構４８を備えている。保持機構４８は、コンベヤケース２１の前部側に横向きに備えた筒状の係合部４９、及び、排出シュート１７における上手側シュート部１７Ａの底板１７ａに備えた弾性変形可能な挟持具５０によって、排出シュート１７の格納位置への到達に伴って係合部４９に挟持具５０が挟持嵌合することにより、ロック機構４１に備えた捩りバネ４４などの作用に抗した排出シュート１７の格納位置での固定保持が可能となるように構成している。そして、排出シュート１７は、格納位置に位置させた状態では機体の右端部から右外方に食み出さないように構成している。
【０１６１】
上記の構成から、排出シュート１７の傾斜角度を、保持機構４８により排出シュート１７を格納位置に保持した格納用の第１角度と、突っ張り部材４３の係合部４３ａを受止部材４２における最下位の凹部４２ａに係入して排出シュート１７の排出位置を機体に最も接近させた穀粒排出用の第２角度と、突っ張り部材４３の係合部４３ａを受止部材４２における上下中間位置の凹部４２ｂに係入して排出シュート１７の排出位置を第２角度よりも機体から右外方に離間させた穀粒排出用の第３角度と、突っ張り部材４３の係合部４３ａを受止部材４２における最上位の凹部４２ｃに係入して排出シュート１７の排出位置を機体から最も離間させた穀粒排出用の第４角度との４段階に変更することができる。
【０１６２】
つまり、排出シュート１７の穀粒排出方向での長さ調節に加えて排出シュート１７の傾斜角度を変更することにより、排出シュート１７の高さ方向での排出位置の変更をより細かく行える上に、排出シュート１７の機体横方向での排出位置の変更が可能になることから、排出シュート１７の排出位置を穀粒の排出箇所に対するより適切な位置に容易に設定変更することができる。その結果、穀粒の排出箇所にかかわらず排出シュート１７による穀粒の排出を良好に行うことができる。
【０１６３】
そして、排出シュート１７を格納位置に切り換えた状態では、保持機構４８によって排出シュート１７を格納位置に安定した状態で保持することができ、これにより、走行中の機体の振動などに起因して排出シュート１７が不測に格納位置から排出位置に切り換わって他物に接触する不都合の発生を確実に防止することができる。
【０１６４】
又、排出シュート１７の傾斜角度を変更することにより、排出シュート１７で流下案内される穀粒の流下速度を調節することができる。これにより、穀粒の水分量などによって変化する流動性に応じて排出シュート１７の傾斜角度を変更することにより、穀粒の流下速度を適切な速度に調節することが可能になる。その結果、流動性の低下に起因した排出シュート１７での穀粒詰まりの発生などを未然に回避し易くなり、排出シュート１７での穀粒詰まりによる作業効率の低下を防止することができる。
【０１６５】
更に、排出シュート１７の下手側シュート部１７Ｂに上下の連結杆１７ｄ，１７ｅを備えたことにより、これらの連結杆１７ｄ，１７ｅを排出シュート１７の傾斜角度を変更する際の把持部に利用することができる。これにより、排出シュート１７の傾斜角度を変更する際の操作性を向上させることができる。
【０１６６】
図１〜３及び図６〜１０に示すように、穀粒タンク１１の上部には、穀粒タンク１１の前方からの排出シュート１７の上下揺動操作を可能にする機械連係式の操作機構９５を備えている。操作機構９５は、穀粒タンク１１の上部を前後方向に貫通する前後向きの回動軸９６、回動軸９６の前端部に着脱可能に連結した操作レバー９７、及び、回動軸９６の後端部に備えた排出シュート用の操作アーム９８、などにより、回動軸９６を介して操作レバー９７と操作アーム９８とが一体揺動するように構成している。
【０１６７】
穀粒タンク１１には、回動軸９６を回動可能に支持する前後一対の軸支部９９を備えている。操作機構９５の回動軸９６と操作アーム９８及び排出シュート１７の支軸４０は、単一の丸棒鋼材により、回動軸９６と支軸４０とが同一軸心上に位置し、かつ、操作アーム９８が支軸４０の後端から排出シュート１７の底板１７ａに向けて延出する状態に一体形成している。支軸４０には、操作アーム９８を介して排出シュート１７を上方に揺動付勢する付勢手段１００としての捩りバネ１００を外嵌している。操作レバー９７は、その揺動操作において機体の右端部から右外方に食み出さない姿勢で回動軸９６の前端部に着脱可能にピン連結している。
【０１６８】
穀粒タンク１１の上部における排出シュート用の操作機構９５の下方には、穀粒タンク１１の前方からのシュート角度調節用のロック機構４１の操作を可能にする機械連係式のロック用操作機構１０１を備えている。ロック用操作機構１０１は、穀粒タンク１１の上部を前後方向に貫通する前後向きのロック用回動軸１０２、及び、ロック用回動軸１０２の前端部に着脱可能に連結したロック用操作レバー１０３、などにより、ロック用回動軸１０２を介してロック用操作レバー１０３とロック機構４１の突っ張り部材４３とが一体揺動するように構成している。
【０１６９】
穀粒タンク１１には、ロック用回動軸１０２を回動可能に支持する前後一対の軸支部１０４を備えている。ロック用回動軸１０２とロック機構４１の突っ張り部材４３とは、単一の丸棒鋼材の屈曲形成によって一体形成している。ロック用操作レバー１０３は、その揺動操作において機体の右端部から右外方に食み出さない姿勢でロック用回動軸１０２の前端部に着脱可能にピン連結している。
【０１７０】
上記の構成から、穀粒タンク１１の前方に位置する搭乗運転部４に居ながらも、穀粒タンク１１の前端部に位置する操作レバー９７及びロック用操作レバー１０３を操作することにより、排出シュート１７の傾斜角度を変更して任意の傾斜角度に固定保持することができる。又、排出シュート用の捩りバネ１００及び突っ張り部材用の捩りバネ４４の作用により、排出シュート１７の傾斜角度の変更操作に要する労力を軽減することができる。更に、操作レバー９７及びロック用操作レバー１０３が機体の右端部から右外方に食み出すことに起因した他物との接触を防止することができる。
【０１７１】
図１、図３、図６、図７及び図１０に示すように、排出シュート１７の遊端部には、可撓性を有する透明の樹脂シートからなる補助シュート４６を穀粒案内方向視での形状がＵ字状になる状態でボルト連結している。そして、補助シュート４６の遊端部には、その遊端部の前後両端に形成した丸孔４６ａに挿通して遊端部の横幅を変更するバンド４７を装備してある。
【０１７２】
上記の構成から、例えば、穀粒の排出対象がトラックの荷台などである場合には、バンド４７を緩めることにより、補助シュート４６の穀粒排出端での間口を大きく広げた状態にすることができる。これにより、穀粒をトラックの荷台などの広い領域に拡散させた状態で排出することができる。
【０１７３】
又、穀粒の排出対象が籾袋などである場合には、バンド４７を締めることにより、補助シュート４６の穀粒排出端での間口を小さく窄めた円筒状にすることができる。これにより、穀粒を籾袋などの狭い領域に集中させた状態で排出することができる。
【０１７４】
つまり、可撓性を有する補助シュート４６とバンド４７とを用いた簡単な構成でありながら、補助シュート４６の穀粒排出端での間口を穀粒の排出対象などに適した大きさに容易に変更することができ、穀粒の排出対象などに適した穀粒の排出を良好に行うことができる。
【０１７５】
図１３に示すように、穀粒タンク１１における搬出スクリュ１５の真上には、穀粒タンク内の穀粒を搬出スクリュ１５の左右に流下案内する断面形状が逆Ｖ字状の流下案内板８０を、搬出スクリュ１５に沿う前後向き姿勢で配備している。流下案内板８０は、搬出スクリュ１５の駆動に連動して、その上端部に備えた支軸８０Ａを支点にして左右揺動するように、その支軸８０Ａを偏心カム式の連動機構（図示せず）を介して搬出スクリュ１５に連動連結している。
【０１７６】
流下案内板８０の左右の案内部８０Ｂには、それらの前後方向の複数箇所に上下一対ずつ備えた螺合部８０ａを使用して、左右の補助案内板８１を着脱可能にボルト連結している。そして、各案内部８０Ｂに対する各補助案内板８１の取り付け位置や取り付け向きを変更することにより、流下案内板８０による穀粒の流下案内長さを、穀粒タンク１１の形状や穀粒の水分量などに応じて変更できるように構成している。
【０１７７】
具体的には、流下案内板８０は、その左側の流下案内長さが穀粒タンク１１の左側の形状に応じて最長になるように、左側の案内部８０Ｂにおける下側の螺合部８０ａのみを使用して、左側の補助案内板８１を、その表面を上側にし、かつ、屈曲箇所を下側にした最長状態でボルト連結している。又、その右側の流下案内長さが穀粒タンク１１の右側の形状に応じて最短になるように、右側の案内部８０Ｂにおける上下両方の螺合部８０ａを使用して、右側の補助案内板８１を、その裏面を上側にし、かつ、屈曲箇所を上側にした最短状態でボルト連結している。そして、左側の流下案内長さは、穀粒の水分量が多い場合には、左側の案内部８０Ｂにおける上下両方の螺合部８０ａを使用して、左側の補助案内板８１を、その表面を上側にし、かつ、屈曲箇所を下側にした中間長さ状態でボルト連結することにより、穀粒の水分量が多いことに起因した穀粒タンク１１の下部での穀粒詰まりの発生を防止することができる。
【０１７８】
〔第２実施形態〕
【０１７９】
以下、本発明を実施するための形態の一例として、本発明に係るコンバインの穀粒排出構造を、コンバインの一例である自脱型コンバインに適用した第２実施形態を図面に基づいて説明する。
【０１８０】
尚、この第２実施形態は、上記第１実施形態と排出シュート１７の構成が異なるだけであることから、排出シュート１７の構成についてのみ説明する。
【０１８１】
図１４及び図１５に示すように、排出シュート１７は、排出シュート１７の穀粒案内方向上手側を構成する上手側シュート部１７Ａと、排出シュート１７の穀粒案内方向下手側を構成する下手側シュート部１７Ｂとを備えている。
【０１８２】
上手側シュート部１７Ａは、揚送コンベヤ１６の排出口側である右側部に、その右側部に底板１７ａが面する右向き姿勢で、横向きの支軸４０を支点にした上下揺動が可能な状態で配備している。上手側シュート部１７Ａの遊端部には、一対の側板１７ｂにわたってそれらの上端部を連結する保形用の連結杆１７ｇを備えている。
【０１８３】
下手側シュート部１７Ｂは、その各側板１７ｂの一端部を上手側シュート部１７Ａにおける各側板１７ｂの遊端部に横向きで一対の支軸１７Ｃを介して連結することにより、上手側シュート部１７Ａに対して上下揺動可能に構成している。そして、上手側シュート部１７Ａに対する一対の支軸１７Ｃを支点にした下降揺動により、上手側シュート部１７Ａの穀粒案内方向下手側に連接する作用位置に切り換わり、かつ、上手側シュート部１７Ａに対する一対の支軸１７Ｃを支点にした上昇揺動により、上手側シュート部１７Ａに対して上方から覆い重なる状態で外嵌する非作用位置に切り換わるように構成している。
【０１８４】
つまり、上手側シュート部１７Ａに対する下手側シュート部１７Ｂの上下揺動により、下手側シュート部１７Ｂを作用位置と非作用位置とに切り換えることによって、排出シュート１７の穀粒案内方向での長さを、上手側シュート部１７Ａの穀粒案内方向の長さに設定する短尺状態と、上手側シュート部１７Ａの穀粒案内方向の長さに下手側シュート部１７Ｂの穀粒案内方向の長さを加えた長さに設定する長尺状態とに、２段階に切り換え調節可能に構成している。
【０１８５】
上記の構成から、トラックの荷台などの高所に対して穀粒を排出する場合には、排出シュート１７を短尺状態に切り換えておくことにより、排出シュート１７を荷台の周囲に立設したアオリなどに接触させ難くしながら、トラックの荷台などへの穀粒の排出を効率良く行うことができる。しかも、この短尺状態では、下手側シュート部１７Ｂが上手側シュート部１７Ａに対して上方から覆い重なる状態で外嵌することにより、下手側シュート部１７Ｂを上手側シュート部１７Ａの上下又は前後に隣接させる場合に比較して、上手側シュート部１７Ａの周辺に下手側シュート部１７Ｂの収納空間を確保する必要がなく、又、短尺状態での排出シュート１７をコンパクトにすることができる。その結果、コンバイン全体としての大型化を招くことなく、短尺状態に切り換えた排出シュート１７の他物との接触を回避し易くすることができる。
【０１８６】
一方、排出シュート１７からの穀粒を籾袋などに詰め込む袋取りを行う場合には、排出シュート１７を長尺状態に切り換えておくことにより、排出シュート１７の案内終端部を手元高さ位置に位置させることができる。これにより、排出シュート１７からの穀粒の袋取りを無理なく簡便に行えるようになり、袋取りに要する労力を軽減させることができる。しかも、この長尺状態では、排出シュート１７がその全長にわたって溝型になることから、袋取りの最中に排出シュート１７において穀粒の詰まりが生じた場合には、その詰まりを目視で早期に発見することができ、又、詰まった穀粒を排出シュート１７の開放部分から差し入れた手で排出シュート１７の下方に向けて容易に掻き流すことができる。
【０１８７】
排出シュート１７には、下手側シュート部１７Ｂを非作用位置に保持するロック機構１７Ｄを備えている。ロック機構１７Ｄは、上手側シュート部１７Ａに上下揺動可能に備えたフック部材１７ｈ、下手側シュート部１７Ｂに横向きに備えた係合ピン１７ｉ、及び、フック部材１７ｈを係合ピン１７ｉに係合付勢する捻りバネ１７ｋにより構成している。
【０１８８】
上手側シュート部１７Ａには、下手側シュート部１７Ｂの作用位置への切り換えに伴って、下手側シュート部１７Ｂの穀粒案内方向上手側端部を受け止めることにより、下手側シュート部１７Ｂを作用位置に保持するストッパ（図示せず）を備えている。そして、このストッパにて下手側シュート部１７Ｂを受け止めることにより、作用位置において下手側シュート部１７Ｂが上手側シュート部１７Ａと一直線上に並ぶ状態を安定的に維持するように構成している。
【０１８９】
下手側シュート部１７Ｂには、排出シュート１７の排出幅を、トラックの荷台などに対する通常排出用の幅広状態と、袋取り用の幅狭状態とに切り換える案内板１７Ｆを備えている。案内板１７Ｆは、下手側シュート部１７Ｂの底板１７ａにおける遊端部の幅方向中間側箇所に立設した支軸１７Ｇを支点にして揺動する状態に、その一端部を支軸１７Ｇに外嵌している。又、その垂直姿勢から後方への揺動を、下手側シュート部１７Ｂにおける底板１７ａの幅方向中間側箇所に立設した受止ピン１７Ｈにより阻止している。そして、これらにより、下手側シュート部１７Ｂの非作用位置と作用位置との揺動切り換えに伴って支軸１７Ｇを支点にして自重で揺動変位し、この揺動変位により、下手側シュート部１７Ｂの非作用位置においては、一対の側板１７ｂの間において側板１７ｂに沿って垂下する垂下姿勢を維持して一対の側板１７ｂの離間距離を排出シュート１７の排出幅に設定する幅広状態となり、又、下手側シュート部１７Ｂの作用位置においては、その遊端が前側の側板１７ｂに当接して前側の側板１７ｂから後側の側板１７ｂに向けて後側の側板側ほど下方に位置する状態に傾斜する傾斜姿勢を維持して、一対の側板１７ｂの離間距離よりも短い長さ（後側の側板１７ｂと案内板１７Ｆの揺動機端部との離間距離）を排出シュート１７の排出幅に設定する幅狭状態となるように構成している。
【０１９０】
上記の構成から、下手側シュート部１７Ｂを非作用位置に切り換えて、排出シュート１７をトラックの荷台などへの穀粒の排出に適した短尺状態に切り換えた場合には、排出シュート１７の排出幅として、トラックの荷台などに対する通常排出用の幅広状態を自動的に得ることができる。又、下手側シュート部１７Ｂを作用位置に切り換えて、排出シュート１７を穀粒の袋取りに適した長尺状態に切り換えた場合には、排出シュート１７の排出幅として袋取り用の幅狭状態を自動的に得ることができる。
【０１９１】
つまり、下手側シュート部１７Ｂを非作用位置と作用位置とに切り換えるだけで、排出シュート１７の穀粒案内方向の長さとともに排出シュート１７の排出幅を穀粒の排出箇所に適した長さに変更することができる。これにより、穀粒をトラックの荷台などに排出する際の作業効率の向上を図りながら、穀粒を袋取りする際の作業の容易化を図ることができる。
【０１９２】
〔別実施形態〕
【０１９３】
〔１〕コンバインとしては、刈取穀稈の全体を脱穀装置６の内部に投入する全稈投入型に構成したものであってもよい。又、搭乗運転部４をキャビンで覆うように構成したものであってもよい。
【０１９４】
〔２〕穀粒排出装置１２としては、穀粒タンク１１に貯留した穀粒を穀粒取出口１１Ｅからタンク外に搬出する搬出スクリュ１５を穀粒タンク１１の底部に備える構成に代えて、穀粒タンク１１の底部を、穀粒タンク１１に貯留した穀粒を穀粒取出口１１Ｅからタンク外に流下案内する傾斜面を備えるように構成したもの、あるいは、穀粒タンク１１の底部を振動させることで、穀粒タンク１１に貯留した穀粒を穀粒取出口１１Ｅからタンク外に流動案内するように構成したものであってもよい。
【０１９５】
〔３〕穀粒排出装置１２としては、揚送コンベヤ１６の上部後側に排出口１６Ａを形成し、揚送コンベヤ１６の排出口側となる後部側に、排出シュート１７を、その底板１７ａが揚送コンベヤ１６の後部に面する状態で、穀粒タンク１１が作業位置に位置する状態において左右向きになる横向きの支軸４０を支点にした上下揺動による傾斜角度の変更が可能となるように構成したものであってもよい。
【０１９６】
〔４〕穀粒排出装置１２としては、揚送コンベヤ１６の上部後側に排出口１６Ａを形成し、揚送コンベヤ１６の排出口側となる後部側に、排出シュート１７を、その側板１７ｂが揚送コンベヤ１６の後部に面する状態で、穀粒タンク１１が作業位置に位置する状態において前後向きになる横向きの支軸４０を支点にした上下揺動による傾斜角度の変更が可能となるように構成したものであってもよい。
【０１９７】
〔５〕図１６に示すように、穀粒排出装置１２としては、揚送コンベヤ１６における円筒状のコンベヤケース２１を、第２支柱２４などにより支持する下側ケース部２１Ｆと、この下側ケース部２１Ｆに相対回転可能に内嵌した上側ケース部２１Ｇとから構成し、上側ケース部２１Ｇに、排出ガイド２７及び排出シュート１７を装備して、排出シュート１７を、揚送スクリュ２３の回転中心を通る縦向きの軸心Ｘを支点にした揺動操作が可能となるように構成してもよい。
又、図示は省略するが、この構成においては、例えば、搭乗運転部４に備えた操作レバーの操作による排出シュート１７の縦向きの軸心Ｘを支点にした揺動操作が可能となるように、操作レバーと排出シュート１７とを連係ワイヤなどを介して操作連係するように構成してもよい。
【０１９８】
〔６〕揚送コンベヤ１６としてバケットコンベヤを採用してもよい。
【０１９９】
〔７〕排出シュート１７を長さ調節不能に構成してもよい。又、排出シュート１７の穀粒案内方向での長さ調節段数としては種々の変更が可能であり、例えば２段階や４段階以上に長さ調節可能に構成してもよい。更に、排出シュート１７を丸パイプ状又は角パイプ状などに形成してもよい。
【０２００】
〔８〕排出シュート用の操作機構９５としては、搭乗運転部４に備えた操作レバー９７と、操作レバー９７を排出シュート１７に連係する連係ワイヤとから、連係ワイヤが穀粒タンク１１を迂回するように構成したものであってもよい。
【０２０１】
〔９〕排出シュート用の操作機構９５を、前後向きの回動軸９６と、回動軸９６の前端部に備えた操作レバー９７と、回動軸９６の後端部に備えた排出シュート用の操作アーム９８とから構成する場合には、回動軸９６が、穀粒タンク１１の上方又は横外方を通るように構成してもよい。
【０２０２】
〔１０〕図１７に示すように、排出シュート用の操作機構９５としては、単一の丸棒鋼材又は丸パイプ材の屈曲形成により回動軸９６と操作アーム９８とを一体形成し、排出シュート１７の支軸４０を、回動軸９６及び操作アーム９８と一体形成しないように構成したものであってもよい。
この構成においては、排出シュート１７の支軸４０と操作機構９５の回動軸９６とを同一軸心上に配備するように構成してもよく、又、同一軸心上に配備しないように構成してもよい。
【０２０３】
〔１１〕排出シュート用の操作機構９５としては、単一の丸棒鋼材又は丸パイプ材の屈曲形成により回動軸９６と操作レバー９７とを一体形成し、回動軸９６の後端部に操作アーム９８を着脱可能に連結するように構成したものであってもよい。又、回動軸９６に操作レバー９７と操作アーム９８とを着脱可能に連結するように構成したものであってもよい。更に、単一の丸棒鋼材又は丸パイプ材の屈曲形成により、回動軸９６と操作レバー９７と操作アーム９８とを一体形成するように構成したものであってもよい。
【０２０４】
〔１２〕操作レバー９７としては、排出シュート１７を格納位置に位置させた場合に、機体の外端から外方に食み出さないように構成したものであってもよい。
【０２０５】
〔１３〕排出シュート１７を上方に揺動付勢する付勢手段１００として、引っ張りバネや圧縮バネを採用してもよい。
【０２０６】
〔１４〕シュート角度調節用のロック機構４１としては、揚送コンベヤ１６に、傾斜角度設定用の複数の被係合部４２ａ〜４２ｃを、揚送コンベヤ１６の穀粒搬送方向に所定間隔をあけた状態で配備し、かつ、排出シュート１７に、排出シュート１７と同方向に揺動することによって複数の被係合部４２ａ〜４２ｃに択一的に係合する突っ張り部材４３を配備することにより構成したものであってもよい。
【０２０７】
〔１５〕シュート角度調節用のロック機構４１としては、操作レバー９７に択一的に係合可能な状態で穀粒タンク１１の前端部又は搭乗運転部４に配備した複数の被係凹部などにより構成したものであってもよい。
【０２０８】
〔１６〕ロック用操作機構１０１としては、搭乗運転部４に備えたロック用操作レバー１０３と、ロック用操作レバー１０３を突っ張り部材４３に連係するロック用連係ワイヤとから、ロック用連係ワイヤが穀粒タンク１１を迂回するように構成したものであってもよい。
【０２０９】
〔１７〕ロック用操作機構１０１を、前後向きのロック用回動軸１０２と、ロック用回動軸１０２の前端部に備えたロック用操作レバー１０３とから構成する場合には、ロック用回動軸１０２が穀粒タンク１１の横外方を通るように構成してもよい。
【０２１０】
〔１８〕ロック用操作機構１０１としては、単一の丸棒鋼材又は丸パイプ材の屈曲形成によりロック用回動軸１０２とロック用操作レバー１０３とを一体形成し、ロック用回動軸１０２の後端部に突っ張り部材４３を着脱可能に連結するように構成したものであってもよい。又、ロック用回動軸１０２に突っ張り部材４３とロック用操作レバー１０３とを着脱可能に連結するように構成したものであってもよい。更に、単一の丸棒鋼材又は丸パイプ材の屈曲形成により、突っ張り部材４３とロック用回動軸１０２とロック用操作レバー１０３とを一体形成するように構成したものであってもよい。
【０２１１】
〔１９〕ロック用操作レバー１０３としては、排出シュート１７を格納位置に位置させた場合に、機体の外端から外方に食み出さないように構成したものであってもよい。
【０２１２】
〔２０〕突っ張り部材４３を上方に揺動付勢する付勢手段４４として、引っ張りバネや圧縮バネを採用してもよい。
【０２１３】
〔２１〕排出ガイド２７を、揚送コンベヤ１６に固定した固定部３１と、固定部３１に揚送コンベヤ１６の穀粒排出方向に揺動可能に外嵌連結した可動部３３とから構成する場合には、排出口１６Ａから穀粒を排出しない排出停止状態においては、可動部３３の自重によって開口部２７Ａの開口面積が最小になるように構成してもよい。
【０２１４】
〔２２〕開口部２７Ａの開口面積を狭める方向に可動部３３を揺動付勢する付勢手段３４として、捻りバネや圧縮バネを採用してもよい。
【０２１５】
〔２３〕シュート長さ調節用のロック機構９０としては、下手側シュート部１７Ｂに、複数の凹部９２ａと択一的に係合する専用の係合部１７ｄを装備したものであってもよい。
【０２１６】
〔２４〕シュート長さ調節用のロック機構９０としては、上手側シュート部１７Ａに外嵌した下手側シュート部１７Ｂに、所定間隔をあけて形成した複数の凹部９２ａが排出シュート１７の穀粒案内方向に並ぶように配備した鋸刃状の揺動アーム９２を備え、かつ、上手側シュート部１７Ａに、複数の凹部９２ａと択一的に係合する係合部１７ｄを配備することにより構成したものであってもよい。
【０２１７】
〔２５〕揺動アーム９２を係合付勢する付勢手段９３として、引っ張りバネや圧縮バネを採用してもよい。
【産業上の利用可能性】
【０２１８】
本発明に係るコンバインの穀粒排出構造は、穀粒タンクを備える自脱型や全稈投入型のコンバインに適用することができる。
【符号の説明】
【０２１９】
４      搭乗運転部
６      脱穀装置
１１    穀粒タンク
１２    穀粒排出装置
１６    揚送コンベヤ
１６Ａ  排出口
１７    排出シュート
１７Ａ  上手側シュート部
１７Ｂ  下手側シュート部
１７ａ  底板
１７ｂ  側板
１７ｄ  係合部（上手側連結杆）
１７ｅ  下手側連結杆
２７    排出ガイド
２７Ａ  開口部
２８    固定部
２９    可動部
３１    固定部
３３    可動部
３４    付勢手段
４０    横向きの支軸
４１    ロック機構
４２ａ  被係合部
４２ｂ  被係合部
４２ｃ  被係合部
４３    突っ張り部材
４４    付勢手段
５１    カバー体
９０    シュート長さ調節用のロック機構
９２    揺動アーム
９２ａ  凹部
９３    付勢手段
９５    機械連係式の操作機構
９６    前後向きの回動軸
９７    操作レバー
９８    排出シュート用の操作アーム
１００  付勢手段
１０１  機械連係式のロック用操作機構
１０２  前後向きのロック用回動軸
１０３  ロック用操作レバー
Ｘ      縦向きの軸心